(57)【特許請求の範囲】
【請求項１】
紙袋用の袋用紙を二つ折に折り畳んで貼り合わせ、かつ、その両側部を内側に折り込んでＭ字状の折込部を有する紙筒を形成し、この紙筒の袋底寄りに位置して紙筒の表裏に折込フラップの底折込線と底折返線とを平行に形成し、袋底形成装置にて前記表側折込フラップを前記底折返線から裏返しに折返し、かつ、表側折込フラップと裏側折込フラップとを重ね合わせるようにしてこれら表裏各折込フラップを底折込線から立ち上げてから各々内側に折畳んで紙袋の角底部分を形成する角底袋の製袋機において、
紙袋の底となる角底部分を形成する前記袋底形成装置が、
前記紙筒の裏側折込フラップを捕捉する捕捉爪を有しかつ回転により前記紙筒を回転移送する底折りドラムと、
前記底折りドラムの外周に近接して配されて該紙筒の袋底を表側と裏側の各折込フラップに開く底開き装置と、
前記底折りドラムの外周に近接して配されて前記底折返線から前記表側折込フラップを裏返しに折り返して表裏各折込フラップを前記底折ドラムに沿わせて平面状に展開させるフラップ折返装置と、
前記フラップ折返装置による表側折込フラップの折り返し時に、紙筒の底折込線の後側の上面と折り返された表側折込フラップとの間に位置され、折り返された表側折込フラップを底折込線の後側かつ下方から立ち上げる後起こし爪と、
前記フラップ折返装置による表側折込フラップの折り返し後に、該平面状に折り返された表側折込フラップの上側で、かつ底折込線の前側に位置され、前記後起こし爪による表側折込フラップの立ち上げ時に表側折込フラップの底折込線の前側を上方から押さえつける後押さえ爪と、
前記表裏各折込フラップに糊付けする糊付装置と、
裏側折込フラップを起立させるフラップ立ち上げ装置と、
その各折込フラップを貼着する袋底折込装置とを具備することを特徴とする製袋機。
【請求項２】
後押さえ爪と後起こし爪とが、底折ドラムの幅方向に左右一対ずつ配されることを特徴とする請求項１記載の製袋機。
【請求項３】
後押さえ爪と後起こし爪とが、底折ドラムの回転に従って底折ドラムの軸線方向に移動すると共に、底折ドラムの半径方向に移動することを特徴とする請求項１，２のいずれか記載の製袋機。
【請求項４】
後起こし爪が可動軸と一体とされ、該可動軸が第１の左右カムに接触して軸線方向に移動し、かつ該可動軸に配された押下げレバーが第１の上下カムに接触して可動軸が回動することにより、前記後起こし爪が底折ドラムの外周における位置移動可能とされることを特徴とする請求項１から３のいずれか記載の製袋機。
【請求項５】
後押さえ爪が可動軸と一体とされ、該可動軸が第２の左右カムに接触して軸線方向に移動し、かつ該可動軸に配された押上げレバーが第２の上下カムに接触して可動軸が回動することにより、前記後押さえ爪が底折ドラムの外周における位置移動可能とされることを特徴とする請求項１から４のいずれか記載の製袋機。
【請求項６】
底開き装置によって両折込フラップを開いた紙筒を底折ドラムの外周に対してプレスするプレスローラが配されることを特徴とする請求項１から５のいずれか記載の製袋機。
【請求項７】
第１の上下および左右カムは、後起こし爪が底開き装置による紙筒の袋底を開く際に紙筒の表面紙を押さえる形状とされることを特徴とする請求項１から６のいずれか記載の製袋機。
【請求項８】
第２の上下および左右カムは、後押さえ爪がプレスローラでプレスされた紙筒を押さえる形状とされることを特徴とする請求項１から７のいずれか記載の製袋機。
【請求項９】
フラップ立ち上げ装置が、表側フラップの立ち上げ時に、該表側折込フラップの底折込線部分を後起こし爪と後押さえ爪との間で後起こし爪側に誘い込む押込ブレードを具備するものとされることを特徴とする請求項１から８のいずれか記載の製袋機。
【請求項１０】
紙袋用の袋用紙を二つ折に折り畳んで貼り合わせ、かつ、その両側部を内側に折り込んでＭ字状の折込部を有する紙筒を形成し、この紙筒の袋底寄りに位置して紙筒の表裏に折込フラップの底折込線と底折返線とを平行に形成し、ついでこの紙筒を、底折ドラムの回転に従って前記底折込線と底折返線に沿って折り畳む袋底形成装置にて、前記底折ドラムの外周に近接して配された底開き装置にて前記底折込線と底折返線に沿って表側と裏側の各折込フラップに開くと共に、裏側折込フラップを底折ドラムに設けた捕捉爪にて捕捉し、ついで前記底折ドラムの外周に近接して配されたフラップ折返装置にて前記表側折込フラップを底折返線から裏返しに開き折返し、その後、表側折込フラップを前記折込線から内側へ折り込み、また底折ドラムの回転方向下流側で前記捕捉爪から解放された裏側折込フラップを前記底折込線から前記表側折込フラップ側へ折り込むようにして角底紙袋を形成する製袋方法において、
前記表側折込フラップの開き折り返しの際に、紙筒の底折込線の後側の上面と折り返された表側折込フラップとの間に後起こし爪を位置させ、また前記表側折込フラップの開き折り返し後に、表側折込フラップの上側で、かつ底折込線の前側に後押さえ爪を位置させ、
紙筒の袋底を開き折り返された表側折込フラップを、底折込線の後側かつ下方から後起こし爪によって立ち上げるとともに、該表側折込フラップの立ち上げ時に表側折込フラップの底折込線の前側を上方から後押さえ爪によって押さえつけて表側折込フラップを底折込線から内側に折り込むことを特徴とする製袋方法。
【請求項１１】
後押さえ爪と後起こし爪とが、紙筒および表側折込フラップを幅方向の両側から押さえるかまたは立ち上げることを特徴とする請求項１０記載の製袋方法。
【請求項１２】
後押さえ爪が、プレスローラでプレスされた後に紙筒の表側折込フラップを上方から押さえることを特徴とする請求項１０または１１記載の製袋方法。
【発明の詳細な説明】
【０００１】
【発明の属する技術分野】
本発明は、例えば、ショッピングバックなどの紙袋を連続的に成形する製袋機および製袋方法に関するものである。
【０００２】
【従来の技術】
この種の角底紙袋の製袋機では、予め所定寸法に裁断された１枚の袋用紙Ｐを搬送装置で順次間歇的に搬送する途中に、図４７（ａ）ないし（ｂ）に示すように、両側部をＭ字状として折り込んで２つ折りに折畳み、かつその外端縁を糊付けして前後を開口する紙筒Ｔを形成し、その後、図４７（ｃ）ないし（ｅ）に示すように、紙筒Ｔに底折返線Ｌ４と底折込線Ｌ５とを平行させて刻設し、紙筒Ｔの底部を底折加工する底折ドラムに紙筒Ｔの裏側折込フラップＴ１を挟持しながら、前記底折ドラムの回転に伴って紙筒Ｔを回転移送し、かつ、表側折込フラップＴ２のみを底折込線Ｌ４から裏返しに折返して表裏両フラップＴ１，Ｔ２を底折ドラムの外周に沿って平面的に展開し、該表裏のフラップＴ１，Ｔ２に糊付けして、表裏両折込フラップＴ１，Ｔ２を折り返した後に内側に折り畳んで紙袋Ｂの底となる角底部分Ｂ１を形成する。
【０００３】
紙袋Ｔの角底部分を成形する際、底折ドラムの外周に沿って平面的に展開させた表裏の折込フラップＴ１，Ｔ２の各々の底折込線Ｌ４部分を、押込ブレードによって底折ドラムに設けた溝部に押し込み、この溝部内に設けた開閉可能な前挟持爪によって底折込線Ｌ４の前後を噛み込んで、各フラップＴ１，Ｔ２を各々内側に折り返して貼着する構成のため、裏返しに折り返した表側折込フラップＴ２を前挟持爪で狭むと、紙筒Ｔの表裏面紙を含んで噛み込まれることから、紙筒Ｔの下部に噛み込み跡が残ってしまい、完成紙袋Ｂに筋が表われ、外観デザイン的に見苦しいものであり、特に、ギフト用などの外観デザインを重視する紙袋には不向きであるという問題があった。
【０００４】
このため、特開平７−１６４５７９号公報記載の「角底袋製袋機」等の技術が、提案されている。
この技術例における角底袋製袋機では、紙筒Ｔの表面紙と底折ドラムの外周に沿って平面的に展開させた表側折込フラップＴ２との間に開閉爪が配されて、該閉爪が表側折込フラップＴ２の底折込線Ｌ４前後を噛み込み、かつ、この開閉爪の間に押込ブレ−ドにより底折込線Ｌ４を誘い込み表側折込フラップＴ２を内側に折込む構成とされている。
【０００５】
【発明が解決しようとする課題】
しかし、上記例においては、紙袋の下部に噛み跡こそ残らないものの、開閉爪によって噛み込まれた表側折込フラップに、噛み込みによる傷が付き、特に紙質の弱いものや表面加工を施した袋用紙においては、美観を損ねる度合いが激しくなるという問題があった。
さらに、開閉爪が、表側折込フラップと紙筒の表面紙との間に位置しているため、底折ドラムの外周面に展開された紙筒より開閉爪の厚み分だけ表側折込フラップが浮き上がり、フラップ折返装置により形成される袋底の底部側線の形成が正確に設定できない、また、糊付けローラによる糊付けが正確に行われないという問題が発生していた。
【０００６】
本発明は、上記の事情に鑑みてなされたもので、以下の目的を達成しようとするものである。
▲１▼筋のない紙袋を効率的に成形できる角底袋の製袋機を提供すること。
▲２▼表側フラップにおける噛み込みによる傷の発生を防止すること。
▲３▼袋底部の底部側線の形成位置の設定における正確性を向上すること。
▲４▼表裏両折込フラップに対する糊付けを正確に行うこと。
【０００７】
【課題を解決するための手段】
紙袋用の袋用紙を二つ折に折り畳んで貼り合わせ、かつ、その両側部を内側に折り込んでＭ字状の折込部を有する紙筒を形成し、この紙筒の袋底寄りに位置して紙筒の表裏に折込フラップの底折込線と底折返線とを平行に形成し、前記表側折込フラップを前記底折返線から裏返しに折返し、かつ、表側折込フラップと裏側折込フラップとを重ね合わせるようにして底折込線からこれら表裏各折込フラップを各々内側に折畳んで紙袋の角底部分を形成する角底袋の製袋機において、袋用紙を供給する給紙装置と、取っ手を形成し該取っ手を袋用紙に貼り付ける取っ手装置と、該給紙装置から供給された袋用紙の外縁部とほぼ中央部に、前記折込部を形成するための折込線と折返線と折畳線とを刻設する筋付装置と、該筋付装置から袋底形成装置まで袋用紙を搬送し、かつ、該筋付装置により刻設された折込線と折返線と折畳線とに沿って袋用紙を二つ折りに折り畳みかつ貼り付けを行い紙筒を形成する紙筒形成装置と、紙袋の底となる角底部分を形成する袋底形成装置とを具備するものとされる。
袋底形成装置が、成形された紙筒を間隔をあけて連続的に供給する供給装置と、該供給装置の終端側に配され紙袋の角底部分となる袋底寄りに底折込線と底折返線とを付ける底折筋付け装置と、前記紙筒の裏側折込フラップを挟持する捕捉爪を有しかつ回転により前記紙筒を回転移送する底折ドラムと、該底折ドラムの外周に近接して配されて該紙筒の袋底側を吸着して袋底を開く底開き装置と、底折ドラムの外周に近接して設けられ前記折筋付け装置によって形成された底折返線から前記表側折込フラップを裏返しに折り返して表裏各折込フラップを底折ドラムに沿わせて平面的に展開させるフラップ折返装置と、展開された紙筒をプレスするプレスローラと、前記表裏各折込フラップに糊付けする糊付装置と、前記表裏各折込フラップを起立させるフラップ立ち上げ装置と、その各折込フラップを貼着する袋底折込装置を具備するものとされる。
底折ドラムの外周には、紙筒の裏側折込フラップ先端を捕捉する捕捉爪と、裏側折込フラップの底折込線の前後位置を噛み込む前挟持爪と、底開き装置に配される開閉爪に対応して紙筒を折込部分から挟持する開閉爪と、表側フラップの底折込線付近に位置される後押さえ爪と後起こし爪と、裏側フラップを吸着するための吸着口とが配される。
前記捕捉爪は、底折ドラムの軸線方向の中央部分に位置してその先端部分が内部から底折ドラムの外周外側に延設され、この捕捉爪の先端部分と底折ドラムとにより前記裏側折込フラップを挟持するものとされる。一方、前挟持爪は、底折ドラムの内部に固定された固定爪とこの固定爪に対向して底折ドラム内部に設けられた可動爪とから成り、その可動爪の開閉によって、裏側折込フラップの底折込線の前後を挟持するものとされる。
また、前記底折ドラムの両側には、例えば前記表側折込フラップの底折込線の前側位置を表側折込フラップの上側から押さえ込む後押さえ爪と、表側折込フラップの底折込線の後側位置で表側折込フラップと紙筒の表面紙との間に位置する後起こし爪が組み付けられている。
後押さえ爪と後起こし爪とは、底折ドラムの幅方向に一対ずつ配され、該後押さえ爪と後起こし爪とにそれぞれ一体とされた取付ブラケットに取付られて、該取付ブラケットには、前記底折ドラムに固定されて該底折ドラムと一体として回転する支持用ブラケットにそれぞれスライド自在に案内されかつ取付ブラケットを回転可能に支持する可動軸と、後押さえ爪を底折ドラム側へと回転させるための押し上げレバー、または、後起こし爪を底折ドラム側へと回転させるための押下げレバ−とが配される。
各可動軸は、その外側先端がカム当接部とされ、このカム当接部が、前記底折ドラムの側部に位置して本体フレ−ムに固定された各カム面に沿って移動することにより、後押さえ爪と後起こし爪とが底折ドラムの軸線方向の往復動作を行うものとされる。
なお、押し上げレバーまたは押し下げレバーの先端には突出したカム当接部が配される。
さらに、それぞれの可動軸に対応して前記本体フレームには各可動軸のカム当接部と接する第１の左右カムおよび第２の左右カムが、前記底折ドラムの両側外側に位置して固定され、この第１および第２の左右カムの底折ドラムの軸線からの半径方向には、それぞれ前記押し上げレバーまたは押下げレバーの先端のカム当接部と接する第１の上下カムおよび第２の上下カムが、該第１および第２の左右カムと一体として固定されている。
また、前記可動軸はその他端側に形成する凹部内に配置されたバネによって第１および第２の左右カムに押し付けられ、かつ、各取付ブラケットと前記支持用ブラケットの間に架け渡したバネによって前記押下げレバーまたは押上げレバーを第１および第２の上下カムに押し付けられるように構成されている。
第１の上下および左右カムは、後起こし爪が底開き装置による紙筒の袋底を開く際に紙筒の表面紙を押さえる形状とされ、第２の上下および左右カムは、後押さえ爪がプレスローラでプレスされた紙筒を押さえる形状とされる。
フラップ立ち上げ装置としては、底折ドラムの前方側に２枚の平板状の押込ブレ−ドを備えた回転軸が横設され、この回転軸の回転によって、前記底折ドラムで搬送される紙筒の表裏各折込フラップにおける底折込線に沿って前記押込ブレードを押接させて、その底折込線付近を開状態に保持した前挟持爪の間および後押さえ爪と後起こし爪との間に誘い込むものとされる。
このとき、表側折込フラップにおける底折込線の前側をその幅方向両側から後押さえ爪で押さえかつ底折込線の後側をその幅方向両側から後起こし爪で立ち上げることにより表側折込フラップを底折込線からそれぞれ内側に折り込む。
【０００８】
【発明の実施の形態】
以下、本発明に係る製袋機および製袋方法の一実施形態を、図面に基づいて説明する。
図１ないし図４６において、符号Ｍは製袋機、Ｐは袋用紙、Ｔは紙筒、Ｂは紙袋、Ｈは取っ手、１は給紙装置、２は取っ手装置、３は筋付装置、４，５は紙筒形成装置、６は袋底形成装置、７はカウント装置である。
【０００９】
製袋機Ｍは、図１ないし図３４に示すように、袋用紙Ｐを供給する給紙装置１と、取っ手Ｈを形成し該取っ手Ｈを袋用紙Ｐに貼り付ける取っ手装置２と、該取っ手装置２から供給された袋用紙Ｐの一縁部とほぼ中央部に、折込部Ｐ１を形成するための折込線Ｌ１と折返線Ｌ２と折畳線Ｌ３とを刻設する筋付装置３と、該筋付装置３から底形成装置６まで袋用紙Ｐを搬送し、かつ、該筋付装置３により刻設された折込線Ｌ１と折返線Ｌ２と折畳線Ｌ３とに沿って袋用紙Ｐを二つ折りに折り畳みかつ貼り付けを行い紙筒Ｔを形成する紙筒形成装置４，５と、紙袋Ｂの角底部分Ｂ１を形成する袋底形成装置６と、角底部分の形成された紙袋Ｂをプレスして製品台に送り出すとともに紙袋Ｂの製造数をカウントするカウント装置７とを具備するものとされる。
【００１０】
給紙装置１は、図１に示すように、製袋機Ｍの最上流に位置して、予め所定寸法に裁断された紙袋用の袋用紙（枚葉紙）Ｐを間隔をあけて連続的に供給するものとされ、この袋用紙Ｐとして、例えば、搬送方向（縦方向）の最大寸法が６００ｍｍ程度、横方向（幅方向）の最大寸法が１０５０ｍｍ程度のものを供給可能として設定される。
【００１１】
取っ手装置２は、図４０（ａ），図４０（ｂ）に示すように、例えば貼付部（貼り付け用紙）Ｈ１と紐状の取っ手部分Ｈ２を一体として取っ手Ｈを形成し、袋口となる袋用紙Ｐの搬送方向後ろ側に位置する端部に、略Ｊ字状および略逆Ｊ字状の切込みＪを入れて、かつ該袋用紙Ｐの後ろ側に位置する端部を口折線Ｌ６から折り返す口折部Ｐ４とし、該口折部Ｐ４の内側に取っ手Ｈの貼付部Ｈ１を例えば２箇所とされる所定位置に貼り付けて、口折部Ｐ４を口折線Ｌ６から折り返して貼り合わせて紙袋Ｂの袋口となる部分を形成するものとされて、図２ないし図６に示すように、給紙装置１に接続されて、袋用紙Ｐを回転移送するための貼付ドラム２１と、口折部Ｐ４の内側から取っ手部分Ｈ２を外側に位置するための切込みＪを口折部Ｐ４に刻設するためのカッタ部２２と、取っ手Ｈと袋用紙Ｐとを糊付けするための糊付け部２３と、取っ手Ｈを供給する取っ手供給部２４と、口折部Ｐ４を口折線Ｌ６から折り返す口折手段２５と、折り返された口折部Ｐ４をプレスするためのプレス手段２６とを具備するものとされる。
【００１２】
貼付ドラム２１は、図２ないし図６に示すように、例えば回転軸２１Ａに固着された取付用筒に適宣間隔を置いて固定された複数の分割ドラム２１Ｂの集合体によって構成されており、例えばこの集合体が２組配されるものとされ、回転軸２１Ａに固定された図示しない駆動源に接続される駆動ギア２１ａを有するものとされる。これら各分割ドラム２１Ｂには、図３，図６に示すように、貼付ドラム２１の外周に配されて袋用紙Ｐの先端を挟持する捕捉爪２１Ｃと、袋用紙Ｐの口折線Ｌ６の前後位置を噛み込む挟持爪２１Ｄ，２１Ｅと、口折部Ｐ４を口折線Ｌ６から折り返す顎板２１Ｆとが配される。
捕捉爪２１Ｃは、図３，図６に示すように、その先端部分が貼付ドラム２１の外周外側に延設された状態として、回転軸２１Ａと平行状態とされる軸２１Ｃａにより回動可能として貼付ドラム２１の略全幅に亘って取り付けられ、後述する袋底形成装置６の捕捉爪６４１と同様に、この捕捉爪２１Ｃの先端部分と貼付ドラム２１の外周とにより袋用紙Ｐの搬送方向前側を挟持するものとされる。
一方、挟持爪２１Ｄ，２１Ｅは、図３に示すように、分割ドラム２１Ｂの端部に固定された固定爪２１Ｄとこの固定爪２１Ｄと対向して貼付ドラム２１内部に軸２１Ｅａにより回動可能に設けられた可動爪２１Ｅとから成り、後述する袋底形成装置６の前挟持爪６４２，６４２Ａと同様に、その可動爪２１Ｅの開閉によって、袋用紙Ｐの口折線Ｌ６の前後を挟持するものとされる。
顎板２１Ｆとしては、図３，図５，図６に示すように、複数の断面Ｌ字状の板体が、回転軸２１Ａと平行位置とされる回転軸２１Ｆａにより回動可能として貼付ドラム２１の略全幅に亘って間隔をあけて取り付けられたものとされ、該顎板２１Ｆは、回転軸２１Ｆａの回転により、先端部２１Ｆｂが挟持爪２１Ｄ，２１Ｅの貼付ドラム２１の半径方向外側位置として貼付ドラム２１の外周外側に位置する状態と、顎板２１Ｆ全体が貼付ドラム２１の外周内側に位置する状態との間を回転移動可能として配され、かつ、同期設定手段２１Ｇにより、貼付ドラム２１表面の周方向位置における捕捉爪２１Ｃとの位置設置可能に配される。
同期設定手段２１Ｇは、図６に示すように、回転軸２１Ｆａを貼付ドラム２１の周方向に位置設定可能とする可動長穴２１Ｇａと、回転軸２１Ｆａに接続されて駆動ギア２１ａと同期設定可能とされて回転軸２１Ａと同軸状に配される同期設定ギア２１Ｇｂとを有するものとされ、同期設定ギア２１Ｇｂを貼付ドラム２１の駆動ギア２１ａに対して、軸２１Ｃａと回転軸２１Ｆａとの貼付ドラム２１における位相位置すなわち図６に角度αで示す中心角を設定して固定することで、紙袋Ｂの高さすなわち袋用紙Ｐの搬送方向における寸法に対応可能なものとされる。
捕捉爪２１Ｃ，挟持爪２１Ｄ，２１Ｅおよび顎板２１Ｆは、後述する袋底形成装置６の後押さえ爪６４４と後起こし爪６４５と同様にして、図示しないカム，ブラケット，軸，カム当接部等を介して開閉動作および回転動作するものとされる。
【００１３】
貼付ドラム２１の周囲には、図２，図４に示すように、袋用紙Ｐの搬送方向に向かって、アドバンスローラ２９Ａ，第１糊付け部２７，後述の取っ手搬送部２４Ｂ，第２糊付け部２８，デリバリーローラ２６Ａが位置し、アドバンスローラ２９Ａが、捕捉爪２１Ｃと同様の図示しない捕捉爪を有するものとされる。
【００１４】
カッタ部２２は、図２に示すように、図４０（ａ）に（ロ）で示す略Ｊ字状および略逆Ｊ字状の切込みＪを袋用紙Ｐの口折部Ｐ４に入れるための略Ｊ字状および略逆Ｊ字状の刃形状とされるカッタ２２Ａが例えば２組配される上部回転軸２２Ｂと、そのカッタ２２Ａの刃受け部２２Ｃを備えた下部回転軸２２Ｄとからなり、前記カッタ２２Ａが、上部回転軸２２Ｂの軸方向に例えば２組取付け位置調節可能として上部回転軸２２Ｂにネジによって螺着されて、刃受け部２２Ｃが、カッタ２２Ａに対応する位置に取付位置調節可能として下部回転軸２２Ｄにネジによって螺着されるとともに、該下部回転軸２２Ｄの一側には、駆動源からの回転を分岐伝達する駆動ギアと噛合する伝達ギアが固着されており、これら各ギアを介して下部回転軸２２Ｄを回転駆動し、その回転を前記下部回転軸２２Ｄと上部回転軸２２Ｂとの他側に固着された複数の中継ギアを介して上部回転軸２２Ｂへと伝達させることによって、上部回転軸２２Ｂを下部回転軸２２Ｄと逆方向に回転させて、供紙装置１から供給される袋用紙Ｐの搬送方向後側の口折部Ｐ４に、前記カッタ２２Ａと刃受け部２２Ｃを当接させて口折りの際の取っ手Ｈの取っ手部分Ｈ２を口折部Ｐ４の外側に位置する略Ｊ字状および略逆Ｊ字状の切込みＪを刻設するものとされる。上部回転軸２２Ｂには、図４０（ａ）に示すように、口折部Ｐ４を貼り合わせて紙筒Ｔを形成した後、二つ折り部分Ｐ２となる口折部Ｐ４の横方向端部をカット部Ｋとして切断するカッタが配される。
このカッタ部２２と給紙装置１との間およびカッタ部２２と貼付ドラム２１側のアドバンスローラ２９Ａとの間には、図２に示すように、例えば上下一対のピンチロ−ラ２０Ａ，２０Ｂおよび送り板２０Ｃが複数配され、このピンチロ−ラ２２Ａ，２２Ｂを駆動手段によって相互に逆方向に回転させて、袋用紙Ｐを狭み込むことによって、給紙装置１から供給された袋用紙Ｐの両側を押圧させて送り板２０Ｃの上をカッタ部２２側へ、また、カッタ部２２からアドバンスローラ２９Ａ側へと移送するものとされる。
【００１５】
糊付け部２３は、図２，図４に示すように、前記口折部Ｐ４の前記切込みＪ周辺を除く袋用紙Ｐの袋用紙糊付位置Ｎ，Ｎ３，Ｎ４に糊付けを行う第１糊付け部２７と、取っ手Ｈの貼付部Ｈ１に糊付けを行う第２糊付け部２８とを具備するものとされる。
第１糊付け部２７は、図２，図４に示すように、貼付ドラム２１の外周にかつアドバンスローラ２９Ａの上方すなわち下流に位置して、例えば澱粉糊または化学糊系接着剤等を収容するタンク２７Ａと、外周面に合成ゴムなどからなる糊付けパッド２７Ｂを有する糊付けローラ２７Ｃと、前記タンク２７Ａの上側に臨ませてタンク２７Ａと糊付けローラ２７Ｃとの間に設けた中継ローラ２７Ｄ，２７Ｅとを具備するものとされ、タンク２７Ａ内の接着剤を中継ローラ２７Ｄ，２７Ｅを介して糊付け口ーラ２７Ｃの糊付パッド２７Ｂに付着させ、糊付けローラ２７Ｃの回転により袋用紙Ｐに糊付けするものとされる。
糊付けローラ２７Ｃは、貼付ドラム２１と同期状態として駆動され、糊付けローラ２７Ｃへの糊付けパッド２７Ｂの位置設定によって袋用紙Ｐへの糊付け位置が設定可能とされ、後述の袋底形成装置６の糊付装置６６０の糊付けローラ６６２と同様な構成とされる。
第２糊付け部２８は、図２，図４に示すように、貼付ドラム２１の外周にかつ取っ手供給部２４の下流側に位置されて、例えば澱粉糊または化学糊系接着剤等を収容するタンク２８Ａと、外周面に合成ゴムなどからなる糊付けパッド２８Ｂを有する糊付け回転部２８Ｃと、前記タンク２８Ａの上側に臨ませてタンク２８Ａと糊付け回転部２８Ｃとの間に設けた中継ローラ２８Ｄ，２８Ｅとを具備するものとされ、タンク２８Ａ内の接着剤を中継ローラ２８Ｄ，２８Ｅを介して糊付け回転部２８Ｃの糊付パッド２８Ｂに付着させ、糊付け回転部２８Ｃの回転により袋用紙Ｐに糊付けするものとされる。
糊付け回転部２８Ｃは、図２，図４に示すように、回転軸２８Ｆにより回転可能とされて該回転軸２８Ｆを中心とする断面略円弧状とされて糊付けパッド２８Ｂの位置される糊付け面を有するものとされ、貼付ローラ２１と同期状態として駆動されて、例えば円筒状とされる糊付け回転部２８Ｃへの糊付けパッド２８Ｂの位置設定によって袋用紙Ｐへの糊付け位置が設定可能とされ、回転軸２８Ｆには、後述の口折手段２５としての押し込みブレード２５Ａが配される。なお、糊付部２３として、糊スプレー等の構成とすることも可能である。
【００１６】
糊付け部２３においては、糊付けパッド２７Ｂ，２８Ｂの位置設定により、図４に示すように、第１糊付け部２７によって、図４０，図４１に示す袋用紙Ｐの口折線Ｌ６より袋底の形成される側に袋用紙Ｐの略全幅に亘って位置する袋用紙糊付位置Ｎに糊付けを行い、第２糊付け部２８によって、袋用紙糊付位置Ｎに貼り付けられた取っ手Ｈの貼付部Ｈ１表面に糊付けを行うよう設定される。
または、糊付け部２３が、糊付けパッド２７Ｂ，２８Ｂの位置設定により、図４１に示すように、第１糊付け部２７によって、取っ手Ｈの貼付部Ｈ１の貼付位置Ｎ１および該貼付位置Ｎ１に対応する部分を除く口折部Ｐ４の貼付位置Ｎ２とされる袋用紙糊付位置Ｎ３に糊付けを行い、第２糊付け部により、袋用紙Ｐに貼り付けられた取っ手Ｈの貼付部Ｈ１表面に糊付けを行うよう設定することも可能である。
または、糊付け部２３が、糊付けパッド２７Ｂ，２８Ｂの位置設定により、図４２に示すように、第１糊付け部２７によって、取っ手Ｈの貼付部Ｈ１の貼付位置に対応する部分とされる袋用紙糊付位置Ｎ４に糊付けを行い、第２糊付け部により、袋用紙Ｐに貼り付けられた取っ手Ｈの貼付部Ｈ１表面および口折線Ｌ６より袋底Ｂ３の形成される側に袋用紙Ｐの略全幅に亘って位置する口折部糊付位置Ｎ５に糊付けを行うよう設定することも可能である。
【００１７】
取っ手供給部２４は、図２，図４に示すように、貼付ドラム２１の外周上側にかつ第１糊付け部２７と第２糊付け部２８との間に位置して、図４０（ａ），図４０（ｂ）に示すように、例えば貼付部（貼り付け用紙）Ｈ１と紐状の取っ手部分Ｈ２を一体として取っ手Ｈを形成する取っ手形成部２４Ａと、該取っ手形成部２４Ａから貼付ドラム２１まで取っ手Ｈを搬送する取っ手搬送部２４Ｂとを有するものとされて、取っ手搬送部２４Ｂが、例えば巻回ローラ２４Ｃと無端状ベルト２４Ｄとを有するベルトコンベアとされて、貼付ローラ２１の外周上に位置する袋用紙Ｐに取っ手Ｈを供給するものとされる。
【００１８】
口折手段２５としては、図２，図３，図５，図６に示すように、例えば前述の糊付け部２３の第２糊付け部２８の回転軸２８Ｆに１枚の押し込みブレード２５Ａが配され、該回転軸２８Ｆが貼付ローラ２１と同期状態として駆動されて、この回転軸２８の回転によって、前記貼付ドラム２１で搬送される袋用紙Ｐの口折線Ｌ６に沿って前記押込ブレード２５Ａを押接させて、その口折線Ｌ６付近を開状態に保持した挟持爪２１Ｄ，２１Ｅの間に誘い込むものとされる。
そして、挟持爪２１Ｄを閉じて袋用紙Ｐの口折線Ｌ６の前後を噛み込むことによって口折部Ｐ４を起こし、かつ、挟持爪２１Ｄ，２１Ｅで噛み込んで起こした状態の袋用紙Ｐを、押し込みブレード２５Ａの回転移動に従い顎板２１Ｆが回転移動することで先端部Ｆｂにより口折部Ｐ４を押さえ込み、口折部Ｐ４を折り込むものとされる。
【００１９】
プレス手段２６としては、図２，図４ないし図６に示すように、貼付ドラム２１の外周にかつ第２糊付け部２８の下流に位置するデリバリーローラ２６Ａと、該デリバリーローラ２６Ａに対応するローラ２６Ｂと、上側回転軸２６Ｃと下側回転軸２６Ｄとを一対として例えば３組配されるプレスローラ２６Ｅと、第２糊付け部２８とデリバリーローラ２６Ａとの間に位置するプレスローラ２９Ｂとを具備するものとされる。
デリバリーローラ２６Ａは、該デリバリーローラ２６Ａの外周部に配されて図示しない駆動手段により駆動ギア２６Ａａを介して回転駆動されるものとされ、貼付ドラム２１の外周との間等で口折部Ｐ４をプレスする複数のプレスパッド２６ａと、袋用紙Ｐの搬送方向前側を挟持する捕捉爪２６ｂと、プレスパッド２６ａをデリバリーローラ２６Ａの周方向位置において捕捉爪２６ｂに対して位置設定可能とする同期設定手段２６Ｆとを具備するものとされ、捕捉爪２６ｂが、前述した捕捉爪２１Ｃと同様にデリバリーローラ２６Ａの外周との間で袋用紙Ｐの搬送方向前側を挟持するものとされる。
プレスローラ２６Ｅは、プレスパッド２６ｃにより、口折部Ｐ４をプレスするものとされ、デリバリーローラ２６Ａの回転との同期を図る同期設定手段２６Ｇによりデリバリーローラ２６Ａと接続される。
【００２０】
同期設定手段２６Ｆは、図５，図６に示すように、デリバリーローラ２１Ａの回転軸線と平行に配されてプレスパッド２６ａが固定される同期設定棹２６Ｆａと、該同期設定棹２６Ｆａをデリバリーローラ２６ａの周方向に位置設定可能とする長穴２６Ｆｂと、同期設定棹２６Ｆａに接続されデリバリーローラ２６Ａと同軸状に配される同期設定ギア２１Ｆｃとを有するものとされ、同期設定ギア２６Ｆｂが、駆動ギア２６Ａａと同期設定可能とされて、同期設定手段２１Ｇの同期設定ギア２１Ｆａおよび同期設定手段２６Ｇに接続され、該同期設定手段２６Ｇには、上側回転軸２６Ｃにそれぞれ同軸状態に配され同期状態として上側回転軸に２６Ｃ回転駆動力を伝達するための同期設定ギア２６Ｇａと、該同期設定ギア２６Ｇａどうしおよび同期設定ギア２６Ｇａと同期設定ギア２１Ｇｂとを中継する中継ギア２６Ｇｂとが配される。
この同期設定手段２６Ｆ，２６Ｇにより、同期設定手段２１Ｇにおいて設定される貼付ドラム２１に対する回転軸２１Ｃａと回転軸２１Ｆａとの位相位置に対して、プレスパッド２６ａおよびプレスパッド２６ｃの袋用紙Ｐの搬送方向におけるプレス位置を設定可能なものとされる。
【００２１】
筋付装置３は、図１または図７に示すように、袋用紙Ｐを挟み込んで折込部Ｐ１を形成するための折込線Ｌ１，折返線Ｌ２，折畳線Ｌ３等の筋Ｌを略平行に刻設するための凸条３１ａを持つ筋付凸ローラ３１と該筋付凸ローラ３１に対応した筋付溝３２ａの形成された筋付凹ローラ３２と、これら筋付ローラ３１，３２を所定位置に設定する図示しない位置設定手段とを複数有するものとされる。
筋付凸ローラ３１と筋付凹ローラ３２とが、図４３に示す２組の折込線Ｌ１と折返線Ｌ２と折畳線Ｌ３とに対応して例えば６組配されて、それぞれが位置設定手段により袋用紙Ｐの搬送方向に対する横方向の間隔を調節可能に配される。
【００２２】
前記紙筒形成装置４，５は、図８ないし図１４に示すように、直列に接続されたローラコンベア４１，５１により折込線Ｌ１と折返線Ｌ２とから挟み込んで折り畳む第１折込工程部４２と、折畳線Ｌ３に沿って袋用紙Ｐを二つ折りに折り畳む第２折畳工程部５２とが形成される。
【００２３】
前記第１折込工程部４２においてローラコンベア４１には、図１，図８ないし図１０に示すように、図示しない駆動手段に接続されて駆動される多数のコンベアローラ４３，…が平行に配され、かつ、搬送する袋用紙Ｐを上下から挟み込んで折り畳む第１折加工部４４と、袋用紙Ｐの左右の折込線Ｌ１の中心部を搬送方向に長さを持った状態として上下から挟んで第１折加工部４４に対して搬送中の袋用紙Ｐの姿勢を設定する姿勢設定搬送手段４５とが配される。
【００２４】
姿勢設定搬送手段４５は、図８および図９に示すように、前記ローラコンベア４１の搬送面Ｆに位置する袋用紙Ｐを上下から挟持して搬送する一対の送りベルト４６を有するものとされ、この送りベルト４６が、ローラコンベア４１の両端４１ａ，４１ｂに位置する巻回ローラ４７ａ，４７ｂに巻回されてローラコンベア４１の搬送面Ｆに沿って延在する無端状の下送りベルト４６ａと、該下送りベルト４６ａの上側に対して圧着可能とされる無端状の上送りベルト４６ｂからなるものとされる。
【００２５】
下送りベルト４６ａは、図８および図９に示すように、蛇行防止凸部が配される断面Ｔ字形状とされて、ローラコンベア４１の全長に亘って配され、かつ、コンベアローラ４３の左右方向中心に位置されて、該下送りベルト４６ａの上面４６ｃをローラコンベア４１の搬送面Ｆに位置するための下送りベルト支持手段４７が、コンベアローラ４３の上側中心位置に配され、かつ、巻回ローラ４７ａ，４７ｂは、ローラコンベア４１の両端４１ａ，４１ｂに位置するコンベアローラ４３，４３と一体とされて前記蛇行防止凸部に対応した溝部が配され、下送りベルト４６ａには、ローラコンベア４１の駆動に同期して駆動する駆動手段４６ｄと、下送りベルト４６ａの張力を調整する下送りベルト張力調節手段４６ｅとが配される。
【００２６】
下送りベルト張力調節手段４６ｅは、後述する張力調節手段４８ｅと同等の構造を持つものとされ、下送りベルト支持手段４７は、図８および図９に示すように、下送りベルト４６ａおよび下送りベルト４６ａにかかる荷重を支持するものとされて、例えばコンベアローラ４３の中央に位置するフレーム４３ｂ等に配されるベアリング等とされる。
【００２７】
上送りベルト４６ｂが、図８および図９に示すように、蛇行防止凸部が配される断面Ｔ字形状とされて、下送りベルト４６ａの上側に位置する上送りベルト支持部４８により支持され、該上送りベルト支持部４８には、上送りベルト４６ｂが巻回され前記蛇行防止凸部に対応した溝部が配される上送りベルトローラ４８ａ，４８ｂ，４８ｃが配されて、かつ、上送りベルト４６ｂを下送りベルト４６ａに対して押圧する押圧手段４８ｄと、上送りベルト４６ｂの張力を調整するための張力調節手段４８ｅとが配され、かつ、上送りベルト支持部４８を上下動可能とする上下方向駆動手段４８ｆが接続される。
上下方向駆動手段４８ｆが、例えばエアシリンダとされて、図示しないフレームに固定される。
【００２８】
押圧手段４８ｄは、図８ないし図９に示すように、一端に配された軸４８ｇより上送りベルト支持部４８に対して回転可能に支持される圧着アーム４８ｈと、該圧着アーム４８ｈを下送りベルト４６ａ側に付勢するためのバネ等の付勢部材４８ｊとを有するものとされ、圧着アーム４８ｈの他端には上送りベルトローラ４８ｂが配され、該上送りベルトローラ４８ｂが、複数の下送りベルト支持手段４７に対応する位置として下送りベルト４６ａに対応する上送りベルト４６ｂの全長に亘って複数配される。
【００２９】
張力調節手段４８ｅは、図８ないし図９に示すように、上送りベルト支持部４８に立設される支持棒４８ｋと、該支持棒４８ｋに締結手段４８ｍにより固定解除可能および位置調節可能に支持される可動軸４８ｎとを具備するものとされ、該可動軸４８ｎには、上送りベルトローラ４６ｃが配されて、該上送りベルトローラ４６ｃが、可動軸４８ｎを締結手段４８ｍにより支持棒４８ｋに対する位置設定可能とすることにより、無端状の上送りベルト４６ｂを外側に押圧して、該上送りベルト４６ｂの張力を調整するものとされる。
【００３０】
上送りベルト４６ｂは、図８ないし図９に示すように、その搬送方向長さが袋用紙Ｐの搬送方向長さより長く設定され、その上流側では、搬送される袋用紙Ｐを該上送りベルト４６ｂとコンベアローラ４３との間に導入するように前記搬送面Ｆから上方に位置して配され、第１折込工程部４２においては、下送りベルト４６ａと同様にローラコンベア４１の搬送方向長さと略等しく設定される。
上送りベルト４６ｂの幅寸法が、図９に示すように、例えば、下送りベルト４６ａの幅寸法と同等か、それよりも小さく設定される。
【００３１】
第１折込工程部４２の取っ手装置２側には、図８に示すように、糊付け装置４９が配され、該糊付け装置４９が、袋用紙Ｐに糊を吹き付ける糊スプレーと、該糊スプレーに糊を供給する糊供給部と、糊スプレーから糊を吹き付けるために糊スプレーに加圧空気等を供給する図示しない加圧手段と、袋用紙Ｐの位置を検出する検出手段と、該検出手段の検出結果により糊スプレーと糊供給部と加圧手段とを制御する制御部とを有するものとされ、図４３に示すように、袋用紙Ｐの折込線Ｌ１と略平行に二つ折り部Ｐ２の端部に糊付けを行うものとされる。
【００３２】
第１折加工部４４は、図４３に示す搬送される袋用紙Ｐの折込線Ｌ１の位置に沿って、ローラコンベア４１の搬送方向左右に１組ずつ設けられ、図１０に示すように、折込線Ｌ１の上方内側位置に対応して袋用紙Ｐを折り込む第１成形板４４Ａと、該第１成形板４４Ａの外側に位置して袋用紙Ｐを跳ね上げる跳ね上げ部４４Ｂと、該跳ね上げ部４４Ｂに接続され第１成形板４４Ａの上側に位置し折返線Ｌ２の上方外側位置に対応して折込部Ｐ１を外側から折り込むひだ押し板４４Ｃと、該ひだ押し板４４Ｃの上方かつ内側に位置して折返線Ｌ２に対応して折込部Ｐ１を折り返すひだ押さえ部４４Ｄとを有するものとされる。
第１成形板４４Ａは、ローラコンベア４１の搬送方向の略全長に亘って配され、かつその上流側が、搬送面Ｆから上側に傾斜して該第１成形板とコンベアローラ４３との間に袋用紙Ｐを導入する構成とされる。
跳ね上げ部４４Ｂは、その上流側が、第１成形板４４Ａ上流端部よりも下流に位置されて、かつ、袋用紙Ｐを下側から跳ね上げるためにコンベアローラ４３に略当接状態位置とされて、該上流側から下流に向けて上方に傾斜し、前記搬送面Ｆよりも上側位置に配される。
ひだ押し板４４Ｃは、跳ね上げ部４４Ｂに接続されて、跳ね上げられた袋用紙Ｐを折り込むように、下流方向に向けて内側に傾斜した端部形状とされる。
ひだ押さえ部４４Ｄは、ひだ押し板４４Ｃの内側から袋用紙Ｐの位置設定を行う縦板部４４Ｄａと、ひだ折し板４４Ｃの上側から袋用紙Ｐを折り返す横板部４４Ｄｂとからなり、横板部４４Ｄｂが、下流方向に向けてひだ折し板４４Ｃに接近するよう傾斜を持つものとされる。
【００３３】
ローラコンベア４１の下流側には、図１または図８に示すように、折り込みまたは折り返した袋用紙Ｐを上下方向から挟んで押圧することにより成形するための一対のプレスローラ４１Ａ，４１Ｂが複数組配されて、かつ、該プレスローラ４１Ａ，４１Ｂを所定位置に設定する位置設定手段が配され、該プレスローラ４１Ａの少なくとも１つが、折込線Ｌ１または折返線Ｌ２部分を部分的に押圧するためにローラ面にテーパを持つテーパローラとされる。
【００３４】
第２折畳工程部５２は、図１，図１１ないし図１３に示すように、第１折込工程部４２と略同等の構成とされるローラコンベア５１に、折畳線Ｌ３に対応して袋用紙Ｐを二つ折りに折り返しかつ貼り付けを行う第２折加工部５４と、袋用紙Ｐの左右の折込線Ｌ１の中心部を搬送方向に長さを持った状態として上下から挟み第２折加工部５４に対して搬送中の袋用紙Ｐの姿勢を設定する姿勢設定搬送手段５５とが配される。
姿勢設定搬送手段５５は、図１１に示すように、前記ローラコンベア５１の搬送面Ｆに位置する袋用紙Ｐを上下から挟持して搬送する一対の送りベルト５６を有するものとされ、この送りベルト５６が、ローラコンベア５１の両端５１ａ，５１ｂに位置する巻回ローラ５７ａ，５７ｂに巻回されてローラコンベア５１の搬送面Ｆに沿って延在する無端状の下送りベルト５６ａと、該下送りベルト５６ａの上側に対して圧着可能とされる無端状の上送りベルト５６ｂからなるものとされる。
【００３５】
下送りベルト５６ａが、図１１に示すように、下送りベルト支持手段５７を有して、下送りベルト４６ａと略同等の構成を持つものとされ、上送りベルト５６ｂが、上送りベルト４６ｂと同様に断面Ｔ字形状とされて、図１１に示すように、下送りベルト５６ａの上側に位置する上送りベルト支持部５８により支持され、該上送りベルト支持部５８には、上送りベルト５６ｂが巻回される上送りベルトローラ５８ａ，５８ｂ，５８ｃが配されて、かつ、上送りベルト５６ｂを下送りベルト５６ａに対して押圧する押圧手段５８ｄと、上送りベルト５６ｂの張力を調整するための張力調節手段５８ｅとが配され、かつ、上送りベルト支持部５８を上下動可能とする上下方向駆動手段５８ｆが接続される。
上下方向駆動手段５８ｆが、例えばエアシリンダとされて、フレームに固定されるものとされる。
【００３６】
押圧手段５８ｄは、図１１に示すように、上送りベルトローラ５８ｂに接続された軸５８ｇと圧着アーム５８ｈと付勢部材５８ｊとを有するものとされ、押圧手段４８ｄとほぼ同等の構成とされ、上送りベルトローラ５８ｂが、複数の下送りベルト支持手段５７に対応する位置として下送りベルト５６ａに対応する上送りベルト５６ｂの全長に亘って複数配される。
張力調節手段５８ｅは、張力調節手段４８ｅと略同等の構成とされ、上送りベルト５６ｂは、その搬送方向長さが袋用紙Ｐの搬送方向長さより長く設定され、かつ、第２折込工程部５２においては、下送りベルト５６ａの上流側に位置されてローラコンベア５１の搬送方向長さの半分程度以上の長さに設定される。
例えば下送りベルト５６ａの幅寸法が、上送りベルト５６ｂの幅寸法よりも大きく設定される。
【００３７】
第２折加工部５４は、図１２ないし図１４に示すように、折畳線Ｌ３の上側位置に対応する第２成形板５４Ａと、該折畳線Ｌ３に対応して二つ折りに折り返す折畳部５９と、図４３に示す跳ね上げた二つ折り部分Ｐ２を糊代部Ｐ３まで導くためのガイド部５４Ｂとを有するものとされ、第２成形板５４Ａと折畳部５９とが、搬送される袋用紙Ｐの折畳線Ｌ３の位置に沿って、ローラコンベア５１の左右に１組ずつ設けられる。
折畳部５９は、前記第２成形板５４Ａの外側位置から下流側に向かって第２成形板５４Ａの上方位置に折り返し状態に配されて二つ折り部分Ｐ２および糊代部Ｐ３を折り返すための無端状の折返ベルト５９Ａを有するものとされる。
【００３８】
折返ベルト５９Ａは、図１２（ａ），図１２（ｂ）および図１３に示すように、メビウスの帯状に無端状とされて、第２成形板５４Ａの上流側端部位置において、折畳線Ｌ３の下方外側位置にかつ第２成形板５４Ａの上面に平行状態とされて、ローラコンベア５１上流端部側に搬送面Ｆの下方に接して位置される上流巻回ローラ５９ａに巻回され、該第２成形板５４Ａの上流側端部位置から下流方向に向かって、該折返ベルト５９Ａの外側が上方にねじれて折畳線Ｌ３の鉛直上側方向に向けて立ち上がって垂直方向の回転軸５９ｂを持つ起きあがりローラ部５９ｃに巻回され、第２折加工部５４の中間部分からさらに下流方向に向かって、該折返ベルト５９Ａの立ち上がった上側が内側にねじれる倒れ込み状態とされて、第２成形板５４Ａの下流側端部位置において、該第２成形板５４Ａの上面に平行状態に略当接位置とするよう下流巻回ローラ５９ｄに巻回され、第２成形板５４Ａの下流側端部の下流位置において、立ち上がり部５９ｅにより上方に立ち上げられ、第２成形板５４Ａの外側位置からローラコンベア５１の下側に引き回されて駆動ローラ５９ｆおよび張力調節手段５９ｇの配された張力調節ローラ５９ｈに巻回され、駆動ローラ５９ｆにより前記ローラコンベア５１の駆動との同期設定可能に駆動可能とされる。
折返ベルト５９Ａの下方には、図１３に示すように、起きあがりローラ部５９ｃを支持し、かつ、折返ベルト５９Ａとコンベアローラ５３との摩擦を防止する支持部５９Ｃが配される。
【００３９】
立ち上がり部５９ｅが、図１２ないし図１３に示すように、折返ベルト５９Ａを第２成形板５４Ａの上面に平行状態に接触させる下流巻回ローラ５９ｄから上方に立ち上がった折返ベルト５９Ａを第２成形板５４Ａの外側位置からローラコンベア５１の下側に引き回す複数の引き回しローラ５９ｊ，５９ｋとを有するものとされ、該引き回しローラ５９ｊが、下流巻回ローラ５９ｄから上方に立ち上がった折返ベルト５９Ａを搬送方向外側に導くものとされ、引き回しローラ５９ｋが、第２成形板５４Ａの外側位置から折返しベルト５４Ａを下方に導きローラコンベア５１の下側に引き回すものとされる。
引き回しローラ５９ｊ，５９ｋが、図示しない位置調節手段により高さ調節可能に配されて、該引き回しローラ５９ｊ，５９ｋの位置を位置調節手段により設定することで、メビウスの帯状に無端状とされた折り返しベルト５９Ａの巻回状態を調節可能なものとされ、下流巻回ローラ５９ｄおよび引き回しローラ５９ｊ，５９ｋが、位置調節手段により搬送方向の位置設定を可能として配され、この位置設定が、糊代部Ｐ３の折り畳みを二つ折り部分Ｐ２の折り畳みよりも搬送中の上流で行われるよう設定される。
【００４０】
起きあがりローラ部５９ｃは、図１２および図１３に示すように、搬送方向に２つ並んだベルト起こしローラ５９ｎ，５９ｎと、該ベルト起こしローラ５９ｎの外側位置に配される外側ローラ５９ｐとを有するものとされ、折り返しベルト５９Ａが、２つ並んだベルト起こしローラ５９ｎ，５９ｎの間から外側に向かって引き出されて外側ローラ５９ｐに巻回されるものとされ、位置調節手段により搬送方向の位置設定を可能として配され、この位置設定が、糊代部Ｐ３の折り畳みを二つ折り部分Ｐ２の折り畳みよりも搬送中の上流で行われるよう設定される。
張力調節手段５９ｇは、前述の張力調節手段４８ｅと同等の構造を持つものとされ、張力調節ローラ５９ｈの位置設定により、折り返しベルト５９Ａの張力を調節するものとされる。
【００４１】
駆動ローラ５９ｆは、図１４に示すように、可変速Ｖプーリ５９ｑに接続され、該可変速Ｖプーリ５９ｑが、無端状のＶベルト５９ｓを介して同期設定プーリ５９ｒに接続され、該同期設定プーリ５９ｒが、ローラコンベア５１の駆動手段に接続され、これら可変速Ｖプーリ５９ｑと同期設定プーリ５９ｒとが、図１４（ａ）に示す可変速Ｖプーリ５９ｑ回転数の高い状態と、図１４（ｂ）に示す可変速Ｖプーリ５９ｑ回転数の低い状態との間を変化させることにより、駆動ローラ５９ｆがローラコンベア５１の駆動手段に対して無段階に加変速とされて同期設定可能とされる。
【００４２】
ローラコンベア５１の下流側には、図１１に示すように、折り畳んだ紙筒Ｔを上下方向から挟んで押圧することにより成形するための複数のプレスローラ５１Ａ，５１Ｂと、該プレスローラ５１Ａ，５１Ｂを所定位置に設定する図示しない位置設定手段とが配され、該プレスローラ５１Ａの少なくとも１つが、折畳線Ｌ３部分を部分的に押圧するためにローラ面にテーパを持つテーパローラとされる。
【００４３】
袋底形成装置６が、図１，図１６ないし図３９に示すように、例えば形成された紙筒Ｔを間隔をあけて連続的に供給する供給装置６０Ａと、該供給装置６０Ａの終端側に配される口折筋付装置６１０と紙袋Ｂの角底部分となる袋底寄りに底折返線Ｌ４と底折込線Ｌ５との折目を付ける底折筋付け装置６２０と、回転により前記紙筒Ｔを回転移送する底折ドラム６４０と、該底折ドラム６４０の外周に近接して配されて該紙筒Ｔの袋底側を吸着して袋底を開く底開き装置６３０と、底折ドラム６４０の外周に近接して配されて前記底折筋付け装置６２０によって形成された底折返線Ｌ４から前記表側折込フラップＴ２を紙筒Ｔの裏返しに折り返して表裏各折込フラップＴ１，Ｔ２を底折ドラム６４０に沿わせて平面的に展開させるフラップ折返装置６５０と、前記表裏各折込フラップＴ１，Ｔ２に糊付けする糊付装置６６０と、前記表裏各折込フラップＴ１，Ｔ２を起立させるフラップ立ち上げ装置６７０と、その表裏各折込フラップＴ１，Ｔ２を折り込んで貼着する袋底折込装置６８０とを具備するものとされる。
【００４４】
前記供給装置６０Ａは、例えば駆動スプロケットと従動スプロケットとの間に架け渡して設けられた左右一対の無端状コンベアチェーンから成り、そのコンベアチェ−ンに取付けた送り爪によって袋底側を搬送方向に向けて紙筒Ｔを次工程の筋付け底折り及び貼着工程に搬送するものとされる。
この紙筒供給装置６０Ａと口折筋付け装置６１０との間には、例えば上下一対のプレスロ−ラおよび送り板が配され、このプレスロ−ラを駆動装置によって相互に逆方向に回転させて、紙筒Ｔを狭み込むことによって、紙筒Ｔの両側を押圧させて送り板の上を次工程の口折筋付け装置６１０側へと移送するものとされる。
【００４５】
前記口折筋付け装置６１０は、図１６に示すように、例えば一枚の平板状の筋付けブレ−ド６１１を有する上部回転軸６１２と、その筋付けブレ−ド６１１の受けローラ６１３を備えた下部回転軸６１４とからなり、前記筋付けブレ−ド６１１は、上部回転軸６１２に固定する一対の取付板にネジによって螺着されるとともに、下部回転軸６１４の一側には、駆動源からの回転を分岐伝達する駆動ギアと噛合する伝達ギアが固着されており、これら各ギアを介して下部回転軸６１４を回転駆動し、その回転を前記下部回転軸６１４と上部回転軸６１２との他側に固着された複数の中継ギアを介して上部回転軸６１２へと伝達させることによって、上部回転軸６１２を下部回転軸６１４と逆方向に回転させて紙筒供給装置６０Ａから送られる紙筒Ｔの袋底寄りに前記筋付けブレ−ド６１１を押接させて口折りの際の折目を刻設するものとされ、口折りを行わない場合、筋付けブレード６１１を取り外し可能なものとされる。
この折筋付け装置６１０と底折筋付け装置６２０との間には、例えば上下一対のピンチロ−ラ６１５，６１６および送り板６０１が配され、このピンチロ−ラ６１５，６１６を駆動手段によって相互に逆方向に回転させて、紙筒Ｔを狭み込むことによって、紙筒Ｔの両側を押圧させて送り板６０１の上を次工程の底折筋付け装置６２０側へと移送するものとされる。
【００４６】
底折筋付け装置６２０は、前記口折筋付け装置６１０とほぼ同様な構成とされ、この底折筋付け装置６２０においては、図１６に示すように、例えば２枚の平板状の筋付ブレ−ド６２１Ａ，６２１Ｂを有する上部回転軸６２２と、その筋付けブレ−ド６２１Ａ，６２１Ｂの受けロ−ラ６２３を備えた下部回転軸６２４とを具備するものとされる。
そして、底折筋付け装置６２０は、前述した口折筋付装置６１０と同様に上部回転軸６２２と下部回転軸６２４とに固着された駆動ギア，中継ギアにより下部回転軸６２４を回転駆動し、その回転を上部回転軸６２２に伝達することによって駆動される構成とされ、この下部回転軸６２４および上部回転軸６２２の回転により、紙筒Ｔの搬送方向の前方側となる袋底寄りに前記各筋付ブレ−ド６２１Ａ，６２１Ｂを押接させて底折りの際の底折返線Ｌ４と底折込線Ｌ５の２本の平行な筋目を刻設するものとされる。
この場合、各筋付ブレ−ド６２１Ａ，６２１Ｂの位置により、底折返線Ｌ４と底折込線Ｌ５との位置を設定するものとされ、紙筒Ｔの前端側から底折返線Ｌ４までの間隔が、表裏各折込フラップＴ１，Ｔ２の長さとなることから、表裏各折込フラップＴ１，Ｔ２が、これら表裏折込フラップＴ１，Ｔ２を折り込む際に相互にラップするよう、底折返線Ｌ４と底折込線Ｌ５との間隔が、紙筒Ｔの開口巾の半分より長くなるように各筋付ブレ−ド６２１Ａ，６２１Ｂの位置が設定される。
このように、各種の袋口のサイズに対応するため、前記底折筋付け装置６２０の筋付けブレード６２１Ａ，６２１Ｂは、取付板の外周を切り欠いて形成する凹部６２５に止着されるが、その一方の筋付ブレ−ド６２１Ａは固定的に止着され、他方の筋寸ブレード６２１Ｂは、前記凹部６２５内において、取付位置が移動可能に取り付けられている。そして、このようにして、底折返線Ｌ４と底折込線Ｌ５の入った紙筒Ｔを、各回転軸６２２，６２４の回転によって底開き装置６３０側へと移送するものとされ、底開き装置６３０側には、ピンチロ−ラ６１５，６１６および送り板６０１が配される。
【００４７】
底開き装置６３０は、図１６ないし図１７に示すように、例えば上部回転軸６３１に固定された回転円弧板６３２と、この回転円弧板６３２の両外側に位置して上部回転軸６３１に固定された抑え板６３３と、前記回転円弧板６３２の外周面に切欠形成する開口部６３４に臨ませて回転円弧板６３２に取付固定された吸着パット６３５と、前記回転円弧板６３２の上部回転軸６３１と上下に対を成す下部回転軸６３６と、前記抑え板６３３にそれぞれ配されて後述する底折ドラム６４０に配される開閉爪６４３に対応する開閉爪６３７とを具備し、該開閉爪６３７が、後述の後押さえ爪６４４および後起こし爪６４５と略同等の構成により動作するものとされ、前記吸着パット６３５に連通接続するバキュ−ムポンプ等の負圧発生装置により、紙筒Ｔの表側折込フラップＴ２を吸着し、回転円弧板６３２に取付けた吸着パット６３５の回転軌跡に沿って紙筒Ｔの表側折込フラップＴ２を止着するものとされる。
そして、これとほぼ同時に底開き装置６３０と近接して配置する前記底折ドラム６４０に設けた捕捉爪６４１により、袋底の開いた紙筒Ｔの裏側折込フラップＴ１の先端を捕捉し、かつ、図１７に示すように、それぞれの開閉爪６３７，６４３により紙筒Ｔの底折込線Ｌ５の後側位置を両脇の折込部Ｔ３から捕捉し、上部回転軸６３１と底折ドラム６４０とを相互に逆方向に回転させて紙筒Ｔの袋底を開くものとされる。
【００４８】
前記フラップ折返装置６５０は、図１６ないし図２０に示すように、例えば前記底折ドラム６４０の上側に配される左右一対の案内板６５１と、左右の案内板６５１の間に配される左右一対の線状部材６５２とを有するものとされる。
該案内板６５１は、前記底開き装置６３０によって開口した紙筒Ｔの両側部分に位置して前記底折ドラム６４０の上部に横設される取付棒６５３に取付アーム６５４を介してほぼ水平に固定され、線状部材６５２は、左右の案内板６５１の間に前記紙筒Ｔの中央部分を底折ドラム６４０の外周面に押し付ける位置として前記取付棒６５３に取付ア−ム６５４を介して固定されている。
この左右の案内板６５１は、例えば平板部６５１ａを有するものとされ、この平板部６５１ａの一端側（底開き装置６３０側）には、内縁側に向って次第に高くなる傾斜部６５１ｂが形成され、平板部６５１ａの他端側は、前記底折ドラム６４０の外周面に接するように取付ア−ム６５４に固定されている。
線状部材６５２は、底折ドラム６４０の外周面に当接状態とされる当接部６５２ａと、該当接部６５２ａの底開き装置６３０側から上方に向かって垂設する立上部６５２ｂとを有するものとされる。
そして、各案内板６５１は、底折ドラム６４０によって回転搬送される紙筒Ｔを、各案内板６５１と底折ドラム６４０との間に誘い込み、前記底開き装置６３０によって吸引された表側折込フラップＴ２を、各案内板６５１の傾斜部６５１ｂから平板部６５１ａに押しつけ、かつ線状部材６５２に押し付けることにより、底折ドラム６４０の回転によって表側折込フラップＴ２を前記底折返線Ｌ４から裏返しとして折返す、すなわち、裏側フラップＴ１を残して表側折込フラップＴ２のみを裏返しに折り返すことで、表裏各折込フラップＴ１，Ｔ２を底折ドラム６４０の外周に沿わせて平面的に展開し、案内板６５１と底折ドラム６４０との僅かな隙間を通して紙筒Ｔの浮き上りを抑えて安定的に搬送するものとされる。
【００４９】
前記取付棒６５３は、図１７，図１９ないし図２０に示すように、取付位置設定手段６５５を介して底折ドラム６４０の外周面に沿って取り付け位置を設定可能として製袋機Ｍの本体フレームＭ１等に取り付けられ、かつ、取付棒６５３の一端に配される回転軸６５６を有する開放位置設定手段６５７により上方に回転可能に取り付けられ、かつ、バネ等の付勢部材６５８により上方側に付勢される。
取付アーム６５４は、取付棒６５３に固定位置および固定方向調節可能に取り付けられる。
取付位置設定手段６５５は、図１９ないし図２０に示すように、底折ドラム６４０の外周面に沿った取付位置設定面６５５Ａと、該取付位置設定面６５５Ａに沿って移動可能な取付移動部６５５Ｂと、該取付移動部６５５Ｂの固定および解除を行うネジ等の固定部６５５Ｃと、開放位置設定手段６５７を支持する支持部６５５Ｄとを有するものとされ、紙筒Ｔの材質および形状等により取付移動部６５５Ｂを図２０に矢印Ａで示すように取付位置設定面６５５Ａに沿って移動させることにより取付棒６５３の取付位置を設定し、固定部６５Ｃにより固定するものとされる。取付位置設定面６５５Ａが、底折ドラム６４０の回転中心から等距離に位置する形状とされ、取付棒６５３の移動軌跡、すなわち、案内板６５１および線状部材６５２の移動軌跡が、紙筒Ｔの形状により個別調整の必要なしに一体として対応可能なものとされる。
開放位置設定手段６５７は、図１９（ａ），（ｂ），図２０に示すように、回転軸６５６による取付棒６５３の回転位置を設定するものとされ、回転軸６５６の周囲に配される設定面６５７Ａと、該設定面６５７Ａに配される例えば３箇所とされる複数の設定穴６５７Ｂと、取付棒６５３の一端に配されて設定穴６５７Ｂに係合することにより取付棒６５３の回転位置を規制する係合部材６５７Ｃと、該係合部材６５７Ｃに接続され取付棒６５３の他端に位置して係合部材６５７Ｃの位置設定を行うハンドル６５７Ｄと、例えば取付棒６５３の内部に位置して係合部材６５７Ｃとハンドル６５７Ｄとを接続する接続部材６５７Ｅと、係合部材６５７Ｃを設定穴６５７Ｂ側に付勢するバネ等の付勢部材６５７Ｆとを有するものとされ、ハンドル６５７Ｄの操作により付勢部材６５７Ｆの付勢力に抗して係合部材６５７Ｃを設定穴６５７Ｂから抜き取付棒６５３を回転軸６５６により回転し、係合部材６５７Ｃを他の設定穴６５７Ｂに係合することにより、図１９（ａ）に破線で示すように、取付棒６５３の回転位置を設定穴６５７Ｂの箇所に対応した位置に設定するものとされる。
前記フラップ折返装置６５０の前方位置には、図１８に示すように、プレスローラ６５９が底折ドラム６４０の外周面に接して配される。
【００５０】
糊付装置６６０は、図１６に示すように、底折ドラム６４０の外周にかつプレスローラ６５９の前方に配され、図２１ないし図２４に示すように、例えば澱粉糊または化学糊系接着剤等を収容するタンク６６１と、外周面に合成ゴムなどからなる糊付けパッド６６５を有する糊付けローラ６６２と、前記タンク６６１の開口部６６３に臨ませてタンク６６１と糊付けロ−ラ６６２との間に設けた中継ローラ６６４と、タンク６６１および中継ローラ６６４の下側に配される受け皿とを具備するものとされ、タンク６６１内の接着剤を中継ロ−ラ６６４を介して糊付け口−ラ６６２の糊付パッド６６５に付着させ、糊付けローラ６６２の回転により表裏各折込フラップＴ１，Ｔ２に糊付けするものとされる。
糊付けローラ６６２は、糊付けパッド６６５によって表裏各折込フラップＴ１，Ｔ２に糊付けする際の糊付け位置を設定するためのパッド設定シート６６６と、該パッド設定シート６６６を糊付けローラ６６２に取り付けるための取付部６６７，６６８とを有するものとされる。
パッド設定シート６６６は、図２３（ａ）に示すように、透過性を有するものとされて全面に位置設定用の例えば方眼６６６Ａを有するものとされ、図２３（ｂ）に示すように、紙筒Ｔの寸法に従って糊付けパッド６６５の位置設定を行うために、表裏各折込フラップＴ１，Ｔ２を開いた紙筒Ｔに直接押し当てて、該紙筒Ｔの糊付け位置となるパッド設定シート６６６の表面に例えば両面粘着テープ等により糊付けパッド６６５を貼り付けて、図２３（ｃ）に示すように、糊付けローラ６６２に巻回して該糊付けローラ６６２の取付部６６７，６６８に対して取付穴６６６ａ，６６６ｂにより取り付けるものとされる。
取付部６６７は、図２４に示すように、糊付けローラ６６２に設けられた溝部６６２ａ内部にバネ等の付勢部材６６７ａにより取り付けたパッド設定シート６６６を引張する方向に付勢される取付ピン６６７ｂを有するものとされる。
なお、糊付けロ−ラ６６２はエアシリンダ６６９を介して取り付けられており、紙筒Ｔが紙詰まりなどによって底折ドラム６４０に無いときには、エアシリンダ６６９を駆動して糊付けローラ６６２を上方に移動させることにより、底折ドラム６４０への糊の付着を防止するものとされる。
また、図４６に示すように、糊付けローラ６６２に、糊付けパッド６６５を直接貼り付ける構成とすることも可能である。
【００５１】
前記底折りドラム６４０は、図１６ないし図１８，図２１，図２５ないし図３０に示すように、例えば回転軸６４０Ａに固着された取付用筒に適宣間隔を置いて固定された複数の分割ドラム６４０Ｂの集合体によって構成されており、例えばこの集合体が３組配されるものとされる。これら各分割ドラム６４０Ｂには、底折ドラム６４０の外周に配されて紙筒Ｔの裏側折込フラップＴ１先端を挟持する捕捉爪６４１と、裏側折込フラップＴ１の底折込線Ｌ４の前後位置を噛み込む前挟持爪６４２，６４２Ａと、底開き装置６３０の開閉爪６３７に対応して紙筒Ｔを折込部Ｔ３から挟持する開閉爪６４３と、表側折込フラップＴ２の底折返線Ｌ４付近に位置される後押さえ爪６４４と後起こし爪６４５と、裏側折込フラップＴ１を吸着するための複数の吸着口６４６とが配される。
前記捕捉爪６４１は、図１７，図１８，図２１，図２５，図２６，図２９に示すように、底折ドラム６４０の軸線方向の中央部分に位置してその先端部分６４１ａが溝部から分割ドラム６４０Ｂの外周外側に延設され、この捕捉爪６４１の先端部分６４１ａと分割ドラム６４０Ｂとにより前記裏側折込フラップＴ１を挟持するものとされる。一方、前挟持爪６４２，６４２Ａは、分割ドラム６４０Ｂの端部に固定された固定爪６４２Ａとこの固定爪６４２Ａと対向して底折ドラム６４０内部に設けられた可動爪６４２とから成り、その可動爪６４２の開閉によって、裏側折込フラップＴ１の底折込線Ｌ５の前後を挟持するものとされる。
また、前記回転軸６４０Ａの取付用筒には、前記補捉爪６４１および前挟持爪６４２の取付ブラケットが取付ボルトによって一体的に取付固定され、この各取付ブラケットに回転可能に軸支された軸に前記捕捉爪および前挟持爪が一体的に固定されている。そして、捕捉爪６４１および前挟持爪６４２の軸の一端部には、例えば取付ア−ムを介して回転ローラが設けられるカム当接部が配され、このカム当接部が、前記底折ドラム６４０の側部に位置して本体フレ−ムＭ１に固定されたカム面に沿って移動することにより、捕捉爪６４１および前挟持爪６４２が開閉動作するものとされる。前記軸には、クランプが一体的に固定されており、このクランプと対向状態として前記取付ブラケットにＬ字状の固定金具が止着され、この固定金具とクランプとの間に、前記カム当接部をカム面に押し付けるように付勢するバネを外装したロッドが設けられている。そして、カム面に形成する突状部に捕捉爪６４１および前挟持爪６４２の各カム当接部が乗上げる際に、回転ローラ、クランプ、および軸を介して捕捉爪６４１および前挟持爪６４２が開閉動作するものとされる。
【００５２】
また、前記底折ドラム６４０の両側には、図１７，図１８，図２１に示すように、例えば前記表側折込フラップＴ２の底折込線Ｌ５の前側位置を表側折込フラップＴ２の上側から押さえ込む後押さえ爪６４４と、表側折込フラップＴ２の底折込線Ｌ５の後側位置で表側折込フラップＴ２と紙筒Ｔの表面紙との間に位置する後起こし爪６４５が組み付けられている。
後押さえ爪６４４と後起こし爪６４５とは、図２５ないし図２７に示すように、分割ドラム６４０Ｂの幅方向に一対ずつ配され、該後押さえ爪６４４と後起こし爪６４５とにそれぞれ一体とされた取付ブラケット６４４Ａ，６４５Ａに取付られて、該取付ブラケット６４４Ａ，６４５Ａには、前記取付用筒に固定して底折ドラム６４０と一体として回転する支持用ブラケット６４７にそれぞれスライド自在に案内されかつ取付ブラケット６４４Ａ，６４５Ａを回転可能に支持する可動軸６４４Ｂ，６４５Ｂと、後押さえ爪６４４を底折ドラム６４０側へと回転させるための押し上げレバー６４４Ｃ、または、後起こし爪６４５を底折ドラム６４０側へと回転させるための押下レバ−６４５Ｃとが配される。
各可動軸６４４Ｂ，６４５Ｂは、その外側先端がカム当接部６４４Ｄ，６４５Ｄとされ、このカム当接部６４４Ｄ，６４５Ｄが、前記底折ドラム６４０の側部に位置して本体フレ−ムＭ１に固定された各カム面に沿って移動することにより、後押さえ爪６４４と後起こし爪６４５とが底折ドラム６４０の回転軸線方向の往復動作を行うものとされる。
なお、押し上げレバー６４４Ｃまたは押し下げレバー６４５Ｃの先端には突出したカム当接部６４４Ｅ，６４５Ｅが配され、このカム当接部６４４Ｅ，６４５Ｅおよびカム当接部６４４Ｄ，６４５Ｄの先端に、回転ローラ等を配し各カム面との摩擦を低減することも可能である。
さらに、図２８に示すように、それぞれの可動軸６４４Ｂ，６４５Ｂに対応して前記本体フレームＭ１には各可動軸６４４Ｂ，６４５Ｂのカム当接部６４４Ｄ，６４５Ｄと接する第１の左右カム６４５Ｇおよび第２の左右カム６４４Ｇが、前記底折ドラム６４０の両側外側に位置して本体フレームＭ１に固定され、この第１および第２の左右カム６４４Ｇ，６４５Ｇの底折ドラム６４０の軸線からの半径方向外側および内側には、それぞれ前記押し上げレバー６４４Ｃまたは押下げレバー６４５Ｃの先端のカム当接部６４４Ｅ，６４５Ｅと接する第２の上下カム６４４Ｈおよび第１の上下カム６４５Ｈが、例えば第１および第２の左右カム６４４Ｇ，６４５Ｇと一体として固定されている。
また、これら第１および第２の左右カム６４４Ｇ，６４５Ｇの間には、捕捉爪６４１等を動作するための第３のカムが固定されている。そして、前記可動軸６４４Ｂ，６４５Ｂは、図２７（ａ），（ｂ）に示すように、支持用ブラケット６４７に形成する凹部６４７ａ内に配置されたバネ６４４Ｆ，６４５Ｆによって第１および第２の左右カム６４４Ｇ，６４５Ｇに押し付けられ、かつ、各取付ブラケット６４４Ａ，６４５Ａと前記支持用ブラケット６４７の間に架け渡したバネによって前記押上げレバー６４４Ｃ押下げレバー６４５Ｃおよびを第１および第２の上下カム６４４Ｈ，６４５Ｈに押し付けるように構成されている。
【００５３】
フラップ立ち上げ装置６７０としては、図１６，図２９ないし図３１に示すように、例えば底折ドラム６４０の前方側に２枚の平板状の押込ブレ−ド６７１，６７１を備えた回転軸６７２が横設され、該回転軸６７２が、底折ドラム６４０の駆動と同期状態に接続される駆動ギア６７２Ａに駆動され、この回転軸６７２の回転によって、前記底折ドラム６４０で搬送される紙筒Ｔの表裏各折込フラップＴ１，Ｔ２の底折込線Ｌ５に沿って前記押込ブレード６７１を押接させて、その底折込線Ｌ５付近を開状態に保持した前挟持爪６４２，６４２Ａの間および後押さえ爪６４４と後起こし爪６４５との間に誘い込むものとされる。
そして、裏側折込フラップＴ１を掴んでいた捕捉爪６４１を開いた後、前挟持爪６４２を閉じて裏側折込フラップＴ１の底折込線Ｌ５の前後を噛み込むことによって裏側折込フラップＴ１を起こし、かつ、後押さえ爪６４４で押さえた状態の表側折込フラップＴ２を後起こし爪６４５が上方に移動することにより起こして、前記表裏各折込フラップＴ１，Ｔ２を立ち上げて袋底折込装置６８０により折り込み可能な状態とするものとされる。
【００５４】
袋底折込装置６８０は、図１６，図３１ないし図３８に示すように、この各押込ブレード６７１等で起こした表裏各折込フラップＴ１，Ｔ２を内側に折り込むものとされ、底折ドラム６４０前方のスプロケット６８１に架け渡した左右一対のチェ−ン６８２に固定する底折棒６８３と前記底折ドラム６４０の周面と僅かな隙間を隔てて設けた底折板６８４とからなり、前記底折棒６８３によって前記表側折込フラップＴ２を、底折板６８４によって前記裏側折込フラップＴ１をそれぞれ内側に折り込むものとされる。
底折棒６８３は、スプロケット６８１の回転軸６８１Ａに接続された同期調節手段６８５を介して押し込みブレード６７１の回転軸６７２に接続され、該回転軸６７２から回転駆動力を伝達されて回転駆動されるものとされる。
同期調節手段６８５には、図３１ないし図３３に示すように、底折棒６８３の移動速度を表側折込フラップＴ２に当たる際に大きくするための一対の楕円ギア６８５Ａ，６８５Ｂと、押し込みブレード６７１の回転軸６７２からの回転駆動力をスプロケット６８１の回転軸６８１Ａに伝達し、かつ、底折ドラム６４０の回転と同期状態とされた押し込みブレード６７１の回転軸６７２の回転と、スプロケット６８１の回転軸６８１Ａの回転との同期状態を調整するための遊星ギア部６８６とが配される。前記楕円ギア６８５Ａ，６８５Ｂはその外周が略楕円形とされ、回転中心が偏心位置に配されたものとされる。
遊星ギア部６８６は、その太陽ギア６８６Ａが駆動系に対して固定状態とされ、該太陽ギア６８６Ａの周囲に例えば４個とされる複数の遊星ギア６８６Ｂが噛み合わされて、該遊星ギア６８６Ｂが太陽ギア６８６Ａに対して自転および公転可能として遊星ギアケース６８６Ｃに支持され、該遊星ギアケース６８６Ｃが、押し込みブレード６７１の回転軸６７２と接続される楕円ギア６８５Ｂと一体とされて回転駆動されるものとされ、該遊星ギア６８６Ｂがその外側に位置する内歯歯車６８６Ｄと噛み合わせ状態とされ、該内歯歯車６８６Ｄが、その外側でスプロケット６８１の回転軸６８１Ａと一体とされる駆動ギア６８６Ｅに接続されて、前記太陽ギア６８６Ａが、該太陽ギア６８６Ａに対して同軸状態とされるウォームホイール６８６Ｆと一体とされ、該ウォームホイール６８６Ｆにウォームギア６８６Ｇが噛み合い太陽ギア６８６Ａの回転を規制している。
同期調節手段６８５は、押し込みブレード６７１の回転軸６７２からの回転駆動力が、楕円ギア６８５Ａ，６８５Ｂ，遊星ギアケース６８６Ｃ，遊星ギア６８６Ｂ，内歯歯車６８６Ｄ，駆動ギア６８６Ｅを介してスプロケット６８１の回転軸６８１Ａに伝達され、この際、前記ウォームギア６８６Ｇを回転させることにより、ウォームホイール６８６Ｆを介して太陽ギア６８６Ａが回転し、該太陽ギア６８６Ａの回転によって遊星ギア６８６Ｂおよび遊星ギアケース６８６Ｃと内場歯車６８６Ｄの回転状態が変化して、袋底形成装置６の回転作動中においても、押し込みブレード６７１の回転軸６７２の回転とスプロケット６８１の回転軸６８１Ａの回転との同期状態、すなわち、底折ドラム６４０の回転と底折棒６８３の回転との同期状態を調整することができるものとされる。
【００５５】
底折板６８４は、図３４ないし図３８に示すように、底折ドラム６４０の外周に近接して設けられて紙筒Ｔの寸法等により位置設定を可能とする位置設定部６８７により支持されている。
位置設定部６８７は、底折ドラム６４０の下方位置に略左右対称な形状として配され、例えば本体フレームＭ１の左右に配される長穴６８７Ａに該長穴６８７Ａ内部を移動可能に横設される支持棒６８７Ｂと、該支持棒６８７Ｂに螺合される位置調節ネジ６８７Ｃと、該位置調節ネジ６８７Ｃに接続されて回転量を設定する回転量設定手段としてのウォームホイール６８７Ｄと該ウォームホイール６８７Ｄに接続されるウォームギア６８７Ｅと、支持棒６８７Ｂを長穴６８７Ａに対して固定する固定手段６８７Ｇとを有するものとされ、左右のウォームホイール６８７Ｄが接続棒６８７Ｆにより接続状態とされ、支持棒６８７Ｂが、支持部６８４ａを介して底折板６８４を支持している。
位置設定部６８７は、固定手段６８７Ｇを解除状態として、ウォームギア６８７Ｅを回転することにより、ウォームホイール６８７Ｄを介して位置調整ネジ６８７Ｃが回転し、この回転により長穴６８７Ａの内部を支持棒６８７Ｂが、図３７に矢印Ｓで示す方向に移動することにより、底折板６８４の底折ドラム６４０に対する位置設定を可能なものとされる。
底折棒６８３と底折板６８４は、図３４ないし図３８に示すように、底折ドラム６４０の回転によって搬送される紙筒Ｔを、まず、前記チェーン６８２の回転により、底折ドラム６４０の回転よりも大きな速度で回転する底折棒６８３によって、表側折込フラップＴ２を叩いて内側に折り込んだ後、底折ドラム６４０の回転により、起立状態の裏側折込フラップＴ１を底折板６８４と底折ドラム６４０との隙間を通すことによって内側に折り込んで前記表側折込フラップＴ２に折り重ねるように内側に折り込むものとされる。
【００５６】
表裏各折込フラップＴ１，Ｔ２を折り込んだ紙筒Ｔは、搬送路によりカウント装置７まで搬送され、該搬送路は、回転搬送ドラム６９０を有するものとされ、該回転搬送ドラム６９０は、図１６，図３９に示すように、前記底折ドラム６４０の下部に設けられ、該回転搬送ドラム６９０および複数の案内ロ−ラ６９１に架け渡した２本の無端状ベルト６９２，６９３を具備するものとされ、底折棒６８３および底折板６８４で内側に折り畳んだ表裏各折込フラップＴ１，Ｔ２を、前記底折ドラム６４０の下部に設けた回転搬送ドラム６９０と複数の案内ロ−ラ６９１に架け渡した２本の無端状ベルト６９２，６９３によって移送するとともに、前工程で糊付けされた表裏各折込フラップＴ１，Ｔ２を貼着するものとされる。なお、前記一方の無端状ベルト６９２の一部が前記底折ドラム６４０の外周面に押接されている。
無端状ベルト６９２，６９３は、該無端状ベルト６９２と底折ドラム６４０との間に、表裏各折込フラップＴ１，Ｔ２を折り重ねた状態の紙筒Ｔを挟み付けて、表裏各折込フラップＴ１，Ｔ２を糊着するものとされ、さらに、表裏各折込フラップＴ１，Ｔ２が折込まれた紙筒Ｔを、底折ドラム６４０と無端状ベルト６９２，６９３とによって、回転搬送ドラム６９０に搬送するものとされ、該回転搬送ドラム６９０とこの回転搬送ドラム６９０に架け渡した他方の無端状ベルト６９３が、この紙筒Ｔを次工程のカウント装置７の供給位置へと搬送するものとされる。
無端状ベルト６９３には、図３９に示すように、そのカウント装置７側に途中排袋手段６９４が配され、該途中排袋手段６９４は、無端状ベルト６９３が巻回されて可動とされる可動ローラ６９４Ａと該可動ローラ６９４Ａの移動に従って該可動ローラ６９４Ａの移動方向に向かって紙筒Ｔを排出する排出板６９４Ｂと、該排出板６９４Ｂを移動方向に駆動するエアシリンダ等の駆動手段６９４Ｃとを具備するものとされる。可動ローラ６９４Ａは軸６９４Ｄにより回転可能とされる可動腕６９４Ｅに支持されて、該可動腕６８４Ｅの駆動と排出板６８４Ｂの駆動とが同期状態とされて、無端状ベルト６９２，６９３により搬送されてきた紙筒Ｔのうち不良品または検査品を途中排袋可能なものとされる。
【００５７】
カウント装置７は、図１に示すように、袋底折込装置６８０によって表裏各折込フラップＴ１，Ｔ２が折込まれた紙筒Ｔを搬送するドラム７１と、折り込まれた表裏各折込フラップＴ１，Ｔ２をプレスして紙袋Ｂの角底部Ｂ１を成形するプレスローラ７２と、成形した紙袋Ｂのカウントを行うカウント部と、該紙袋Ｂを並べる製品台７３とを具備するものとされる。
【００５８】
以下、このように構成される製袋機Ｍにおける紙袋の製造について説明する。
【００５９】
まず、予め所定寸法に裁断された袋用紙Ｐを給紙装置１により間隔をあけて連続的に供給して取っ手装置２に送り込み、ピンチロ−ラ２０Ａ，２０Ｂを駆動手段によって相互に逆方向に回転させて袋用紙Ｐを狭み込み、袋用紙Ｐの両側を押圧させて送り板２０Ｃの上をカッタ部２２へと送り込み、カッタ部２２において、駆動源からの回転を駆動ギアと噛合する伝達ギアにより伝達して下部回転軸２２Ｄを回転駆動し、その回転を前記下部回転軸２２Ｄと上部回転軸２２Ｂとの他側に固着された複数の中継ギアを介して上部回転軸２２Ｂへと伝達させて、上部回転軸２２Ｂを下部回転軸２２Ｄと逆方向に回転させて、袋用紙Ｐの搬送方向後側の口折部Ｐ４に、前記カッタ２２Ａと刃受け部２２Ｃを当接させて、図４０（ａ）に（ロ）で示すように、口折りの際の取っ手Ｈの取っ手部分Ｈ２を口折部Ｐ４の外側に位置する略Ｊ字状および略逆Ｊ字状の切込みＪを刻設し、上部回転軸２２Ｂのカッタにより、紙筒Ｔを形成した際に表側となる口折部Ｐ４の端部とカット部Ｋとして切断する。
次いで、ピンチロ−ラ２０Ａ，２０Ｂおよびアドバンスローラ２９Ａによって、切込みＪの刻設された袋用紙Ｐを貼付ドラム２１へと移送し、貼付ドラム２１においては、捕捉爪２１Ｃが軸２１Ｃａにより回転移動して、図３（ａ）に示すように、該捕捉爪２１Ｃの先端部分と貼付ドラム２１の外周とにより袋用紙Ｐを挟持して貼付ドラム２１Ａの外周に沿って回転移送する。この状態で、第１糊付け部２７によって袋用紙Ｐに糊付けを行い、該糊付けされた貼付位置に、取っ手供給部２４の取っ手形成部２４Ａにより形成された取っ手Ｈを、取っ手搬送部２４Ｂの巻回ローラ２４Ｃを駆動して無端状ベルト２４Ｄ上を移送することにより、取っ手Ｈを貼付ドラム２１の外周上に位置する袋用紙Ｐに供給して、図４０（ｂ）に（ハ）で示すように取っ手Ｈを貼り付けた後、第２糊付け部２８により取っ手Ｈの貼付用紙Ｈ１に糊付けを行う。
【００６０】
この際、糊付け部２３においては、糊付けパッド２７Ｂ，２８Ｂの位置設定により、図４０（ａ）に（イ）で示すように、第１糊付け部２７によって、袋用紙Ｐの口折線Ｌ６より袋底の形成される側に袋用紙Ｐの略全幅に亘って位置する袋用紙糊付位置Ｎに糊付けを行い、図４０（ｂ）に（ホ）で示すように、第２糊付け部２８によって、袋用紙糊付位置Ｎに貼り付けられた取っ手Ｈの貼付部Ｈ１表面に糊付けを行うよう設定される。
または、糊付け部２３が、糊付けパッド２７Ｂ，２８Ｂの位置設定により、図４１（ａ）に（イ）で示すように、第１糊付け部２７によって、取っ手Ｈの貼付部Ｈ１の貼付位置Ｎ１および該貼付位置Ｎ１に対応する部分を除く口折部Ｐ４の貼付位置Ｎ２とされる袋用紙糊付位置Ｎ３に糊付けを行い、図４１（ｂ）に（ホ）で示すように、第２糊付け部２８により、袋用紙Ｐに貼り付けられた取っ手Ｈの貼付部Ｈ１表面に糊付けを行うよう設定することも可能である。
または、糊付け部２３が、糊付けパッド２７Ｂ，２８Ｂの位置設定により、図４２（ａ）に（イ）で示すように、第１糊付け部２７によって、取っ手Ｈの貼付部Ｈ１の貼付位置に対応する部分とされる袋用紙糊付位置Ｎ４に糊付けを行い、図４２（ｂ）に（ホ）で示すように、第２糊付け部２８により、袋用紙Ｐに貼り付けられた取っ手Ｈの貼付部Ｈ１表面および口折線Ｌ６より袋底の形成される側に袋用紙Ｐの略全幅に亘って位置する口折部糊付位置Ｎ５に糊付けを行うよう設定することも可能である。
【００６１】
第２糊付け部２８による糊付けと略同時に、図３（ｂ）に示すように、第２糊付け部２８の回転軸２８Ｆに配される口折手段２５の押し込みブレード２５Ａが貼付ドラム２１で搬送される袋用紙Ｐの口折線Ｌ６に沿って押接するとともに、袋用紙Ｐの口折線Ｌ６付近を開状態に保持した挟持爪２１Ｄ，２１Ｅの間に誘い込み、口折部Ｐ４を立ち上げる。そして、図３（ｃ）に示すように、挟持爪２１Ｅを閉じて袋用紙Ｐの口折線Ｌ６の前後を噛み込むことによって口折部Ｐ４を起こし、かつ、挟持爪２１Ｄ，２１Ｅで噛み込んで起こした状態の袋用紙Ｐを、押し込みブレード２５Ａの回転移動に従い顎板２１Ｆが回転移動することにより先端部Ｆｂにより口折部Ｐ４を貼付ローラ２１の外周に押さえ込み、図４２（ｂ）に（ニ）で示すように、口折部Ｐ４を口折線Ｌ６から折り込む。
【００６２】
次いで、プレスローラ２９Ｂにより口折部Ｐ４の折り込まれた袋用紙Ｐを貼付ドラム２１に押し付けた後、袋用紙Ｐの搬送方向先端側は、貼付ドラム２１の捕捉爪２１Ｃが解除されるとともに、デリバリーローラ２６Ａの外周に配される捕捉爪２６ｂに挟持されて該デリバリーローラ２６Ａの外周に沿って回転移送されるとともに、該デリバリーローラ２６Ａのプレスパッド２６ａが口折部Ｐ４をプレスすることにより該口折部Ｐ４が貼り合わされる。さらに、プレスローラ２６Ｅは、プレスパッド２６ｃにより、口折部Ｐ４のみをプレスすることより、例えば取っ手Ｈの取っ手部分Ｈ２はプレスせずに、紙袋Ｂの袋口となる部分を形成し、次工程の筋付装置３へと移送する。
この際、同期設定手段２１Ｇ，２６Ｆ，２６Ｇにより、袋用紙Ｐおよび紙筒Ｔの寸法に対応して、口折りを行うことが可能である。
【００６３】
次いで、筋付装置３の筋付凸ローラ３１と筋付凹ローラ３２とにより、図４３（ｃ）および図４３（ｄ）に示すように、袋用紙Ｐに２組の折込線Ｌ１と折返線Ｌ２と折畳線Ｌ３とを刻設する。
【００６４】
次に、紙筒形成装置４，５の第１折込工程部４２により、袋用紙Ｐを折込線Ｌ１と折返線Ｌ２とから挟み込んで折り畳み、第２折畳工程部５２により折畳線Ｌ３に沿って袋用紙Ｐを二つ折りに折り畳み紙筒Ｔを形成する。
【００６５】
ここで、ローラコンベア４１により袋用紙Ｐを搬送するとともに、第１折込工程部４２の給紙装置１側において、糊付け装置４９により、検出手段によって袋用紙Ｐの位置を検出し、該検出結果を入力された制御部により、糊スプレーと糊供給部と加圧手段とを制御して、図４３（ｃ）に（ヘ）で示すように、袋用紙Ｐの折込線Ｌ１と略平行に二つ折り部Ｐ２の端部に糊を吹き付ける。
【００６６】
さらに、ローラコンベア４１により袋用紙Ｐを搬送する際には、姿勢設定搬送手段４５の下送りベルト４６ａをローラコンベア４１と同期して駆動し、上送りベルト４６ｂの張力を張力調節装置４８ｅにより調整し、かつ、上下方向駆動手段４８ｆにより上送りベルト支持部４８を駆動して、上送りベルト４６ｂを下送りベルト４６ａと略接触状態として、かつ、押圧手段４８ｄにより上送りベルト４６ｂを下送りベルト４６ａに押圧状態として、下送りベルト支持手段４７によって支持された下送りベルト４６ａとの摩擦によって上送りベルト４６ｂを駆動する。これらの上送りベルト４６ｂと下送りベルト４６ａとにより袋用紙Ｐを上下から挟持して搬送するとともに、第１折加工部４４に対して搬送中の袋用紙Ｐの姿勢を設定する。
この際、上送りベルト４６ｂは、その搬送方向長さが袋用紙Ｐの搬送方向長さより長く設定され、かつ、下送りベルト４６ａの幅寸法が、上送りベルト４６ｂの幅寸法よりも大きく設定されているため、袋用紙Ｐを介さずに上送りベルト４６ｂと下送りベルト４６ａとが接触状態とされる部分が存在し、送りベルト４６を駆動して袋用紙Ｐの搬送を行うことができる。
【００６７】
ローラコンベア４１と上送りベルト４６ｂと下送りベルト４６ａとにより袋用紙Ｐを搬送することにより、第１折加工部４４によって折込部Ｐ１を挟み込んで、図４３（ｃ）に（ト）で示すように折込線Ｌ１から折り込み、かつ図４３（ｃ）に（チ）で示すように折返線Ｌ２から折り返して折り畳む。
この際、袋用紙Ｐは、図１５に示すように、矢印Ａ方向に搬送されて、折込線Ｌ１の上方内側位置に対応して袋用紙Ｐを折り込む第１成形板４４Ａとコンベアローラ４３との間に位置されることにより、折込線Ｌ１から上側への折込部Ｐ１の折り込み位置が設定され、第１成形板４４Ａの外側に位置する跳ね上げ部４４Ｂにより、図１５に矢印Ｘで示すように、折込線Ｌ１から折込部Ｐ１が跳ね上げられ、跳ね上げ部４４Ｂに接続されたひだ押し板４４Ｃにより、図１５に矢印Ｙで示すように、折込線Ｌ１から折込部Ｐ１が第１成形板４４Ａの上側に折り返されるとともに、第１成形板４４Ａとひだ押し板４４Ｃとの間に位置されることにより、折返線Ｌ２から上側への折込部Ｐ１の折り込み位置が設定され、図１５に矢印Ｚ１で示すように、ひだ押し板４４Ｃの上方および内側に位置するひだ押さえ部４４Ｄの縦板部４４Ｄａにより、折込部Ｐ１が折返線Ｌ２から上側に折り返され、かつ、図１５に矢印Ｚ２で示すように、横板部４４Ｄｂにより、折込部Ｐ１が折返線Ｌ２から外側に折り返され、該横板部４４Ｄｂが下流方向に向けてひだ折り板４４Ｃに接近するよう傾斜を持つことにより、折込部Ｐ１が、図１５に矢印Ｗで示すように、横板部４４Ｄｂとひだ押し板４４Ｃとの間に位置されることにより、折込部Ｐ１の折返線Ｌ２から上側への折返位置が設定されて袋用紙Ｐが折り返される。
【００６８】
第１折加工部４４によって折り畳まれた袋用紙Ｐは、ローラコンベア４１の下流側に配されたプレスローラ４１Ａ，４１Ｂにより、折り込みまたは折り返した袋用紙Ｐの部分を上下方向から挟んで押圧するとともに、第２折畳工程部５２へと送られる。この際、プレスローラ４１Ａの少なくとも１つが、ローラ面にテーパを持つテーパローラとされるため、折込線Ｌ１または折返線Ｌ２部分を部分的に押圧することができる。
【００６９】
折込線Ｌ１と折返線Ｌ２とから折り畳まれた袋用紙Ｐは、第２折畳工程部５２において、第１折込工程部４２と同様にローラコンベア５１と上送りベルト５６ｂと下送りベルト５６ａとにより搬送されるとともに、折返ベルト５９Ａによっても搬送され、図４３（ｄ）に示すように、第２折加工部５４により折畳線Ｌ３に対応して二つ折り部Ｐ２を二つ折りに折り返すとともに糊代部Ｐ３の折り畳みおよびこれら二つ折り部分Ｐ２と糊代部Ｐ３との貼り付けを行う。
第２折加工部５４においては、袋用紙Ｐが搬送されるに従って、該袋用紙Ｐを、折畳線Ｌ３の上方内側位置に対応して袋用紙Ｐを折り込む第２成形板５４Ａとコンベアローラ５３との間に位置することにより、折畳線Ｌ３から上側への二つ折り部分Ｐ２および糊代部Ｐ３の折り込み位置を設定し、かつ、折返ベルト５９Ａが、折畳線Ｌ３の下方外側位置にかつ第２成形板５４Ａの下面に平行状態とされて、第２成形板５４Ａの上流側端部位置で巻回される上流巻回ローラ５９ａから下流方向の起きあがりローラ部５９ｃに向かって、上方にねじれて折畳線Ｌ３の上側鉛直方向に向けて立ち上がることにより、袋用紙Ｐの二つ折り部分Ｐ２および糊代部Ｐ３を折畳線Ｌ３から立ち上げて、かつ、折返ベルト５９Ａが、起きあがりローラ部５９ｃから下流方向の下流巻回ローラ５９ｄに向かって、立ち上がった状態から内側にねじれる倒れ込み状態とされて第２成形板５４Ａの上面に平行状態に当接位置とすることにより、第２成形板５４Ａの上面に二つ折り部分Ｐ２および糊代部Ｐ３が折り返されて、該二つ折り部Ｐ２および糊代部Ｐ３を第２成形板５４Ａと折返ベルト５９Ａとの間に挟み込むことにより、袋用紙Ｐを二つ折りに折り返すとともに糊代部Ｐ３の貼り付けを行う。
【００７０】
この際、駆動ローラ５９ｆを、可変速Ｖプーリ５９ｑと同期設定プーリ５９ｒとを、例えば図１４（ｂ）に示す状態から図１４（ａ）に示す状態に変化して設定することにより、ローラコンベア５１および上送りベルト５６ｂと下送りベルト５６ａとの駆動速度に対して、折返ベルト５９Ａの移動速度が、略早めに設定することにより、二つ折り部Ｐ２の折り返し時の速度が、例えば袋用紙Ｐの移動速度に対して遅れないよう設定される。
【００７１】
第２折加工部５４により、二つ折りに折り返されて貼り付られた袋用紙Ｐを、ローラコンベア５１の下流側において、例えばプレスローラ５１Ａ，５１Ｂにより上下方向から挟んで特に折畳線Ｌ３部分を部分的に押圧することにより紙筒Ｔを成形する。
【００７２】
次に、紙筒Ｔを袋底形成装置６のコンベアチェ−ンに取付けた送り爪によって上下一対のプレスロ−ラに搬送し、このプレスローラによって紙筒Ｔの両側を押圧させ、紙筒Ｔを扁平状に畳んだ状態で口折筋付け装置６１０へと搬送する。プレスローラから搬送された紙筒Ｔには、上部回転軸６１２の回転によって、上部回転軸６１２に設けた筋付けブレ−ド６１１を紙筒Ｔの後方袋口寄りに押接することにより口折りの際の折目を刻設する。なお、その袋口寄りの折目は刻設しなくてもよく、この場合、筋付ブレード６１１を取り外しておけばよい。そして、各回転軸６１２，６１４を回転させて紙筒Ｔを次工程の底折筋付け装置６２０へと移送する。
ここでは口折筋付け装置６１０と同様に、各回転軸６２２，６２４を回転駆動し、紙筒Ｔの搬送方向前方側となる袋底寄りに前記各筋付けブレード６２１Ａ，６２１Ｂを押接させて底折りの際の底折返線Ｌ４と底折込線Ｌ５の二本の平行な筋目を刻設する。
【００７３】
この後、底折返線Ｌ４と底折線Ｌ５の入った紙筒Ｔを、各回転軸６２２，６２４の回転によって底開き装置６３０へと移送し、吸着パット６３５により紙筒Ｔの表面紙前端側を吸着し、かつ吸着口６４６により紙筒Ｔの裏面紙側先端を吸着して、図１７に示すように、吸着パット６３５の回転軌跡に沿って紙筒Ｔの袋底を開くとともに、これと同時に、底開き装置６３０の開閉爪６３７および底折ドラム６４０の開閉爪６４３により紙筒Ｔの折込部Ｔ３を挟持し、かつ底開き装置６３０に近接して配置する底折ドラム６４０に設けた捕捉爪６４１により袋底の開いた紙筒Ｔの裏面紙側先端、すなわち、裏側折込フラップＴ１を挟持する。
一方、後押さえ爪６４４と後起こし爪６４５とは、捕捉爪６４１で紙筒Ｔを挟持するまで、後押さえ爪６４４と後起こし爪６４５との取付ブラケット６４４Ａ，６４５Ａに固着された可動軸６４４Ｂ，６４５Ｂがバネ６４４Ｆ，６４５Ｆによって第１および第２の左右カム６４４Ｇ，６４５Ｇと接触しない状態で前記底折ドラム６４０の両側外側に位置し、その後、押さえ爪６４４と後起こし爪６４５とは、後押さえ爪６４４と後起こし爪６４５との取付ブラケット６４４Ａ，６４５Ａに設けた押上げレバー６４４Ｃおよび押下げレバー６４５Ｃのカム当接部６４４Ｅ，６４５Ｅが、第１および第２の上下カム６４４Ｈ，６４５Ｈに接触しない状態として、各取付ブラケット６４４Ａ，６４５Ａと支持用ブラケット６４７との間のバネの付勢力により、後押さえ爪６４４と後起こし爪６４５とが底折ドラム６４０に接触して捕捉爪６４１で抑えられた紙筒Ｔの外側に位置する状態に保持されている。
そして、捕捉爪６４１で紙筒Ｔを挟持するとほぼ同時に第１の左右カム６４５Ｇの突状部分に接触することによって可動軸６４５Ｂが内側に押されて、前記バネ６４５Ｆの付勢力に抗して後起こし爪６４５が内側、すなわち、捕捉爪６４１で抑えられた紙筒Ｔの上方に張り出す。
一方、可動軸６４５Ｂに固着された押下げレバー６４５Ｃはバネによって第１の上下カム６４５Ｈに接触しない状態にあるが、後起こし爪６４５の捕捉爪６４１で抑えられた紙筒Ｔの上方への張り出しと前後して、第１の上下カム６４５Ｈに押下げレバ−６４５Ｃが接触して可動軸６４５Ｂが往復回転動作し、この可動軸６４５Ｂの回転動作に伴って後起こし爪６４５が上方に向かって回転した後に下方に向かって回転し、前記紙筒Ｔの表面紙と接触する。
この時、図１８に示すように、後起こし爪６４５は、表側折込フラップＴ２の底折込線Ｌ５の後方に位置し、かつ、紙筒Ｔの表面紙の上側に位置する。このとき、後押さえ爪６４４は、底折ドラム６４０に接触して捕捉爪６４１で抑えられた紙筒Ｔの外側に位置する状態に待機している。
【００７４】
この状態において、上部回転軸６３１と底折ドラム６４０を相互に逆方向に回転させることによって、紙筒Ｔの袋底を開く。このようにして袋底の開口した紙筒Ｔは、前記底折ドラム６４０の回転によってその袋底部分がフラップ折返装置６５０を構成する各案内板６５１と底折ドラム６４０との間に誘い込まれて、表側折込フラップＴ２のみが紙筒Ｔの表面紙側に折り返され、後起こし爪６４５が紙筒Ｔの表面紙と表側折込フラップＴ２の間に位置されるとともに、開閉爪６３７による折込部Ｔ３の挟持が解除され、かつ、紙筒Ｔの表裏各折込フラップＴ１，Ｔ２が底折ドラム６４０の外周に沿って平面的に展開された状態として、底折ドラム６４０の回転によって紙筒Ｔが搬送され、この搬送途中で表裏各折込フラップＴ１，Ｔ２をプレスローラ６５９によりプレスすることにより整形する。この際、図４３（ｇ）の紙袋Ｂの底部側線Ｂ３となる表側フラップＴ２の下側位置に後押さえ爪６４４がないため、底部側線Ｂ３の形成を確実に行うことができる。
このプレスローラ６５９で紙筒Ｔをプレスすると同時に、図２１に示すように、底折ドラム６４０に接触して捕捉爪６４１で抑えられた紙筒Ｔの外側に位置する状態に待機している後押さえ爪６４４は、第２の左右カム６４４Ｇの突状部分によって可動軸６４４Ｂが内側に押されて、前記バネ６４４Ｆの付勢力に抗して後押さえ爪６４４が内側、すなわち、捕捉爪６４１で抑えられた紙筒Ｔの上方に張り出す。
一方、後押さえ爪６４４の可動軸６４４Ｂに固着された押上げレバー６４４Ｃはバネによって第２の上下カム６４４Ｈに接触しない状態にあるが、後押さえ爪６４４が捕捉爪６４１で抑えられた紙筒Ｔの上方に張り出すと同時に、第２の上下カム６４４Ｈに押上げレバ−６４４Ｃが接触して可動軸６４４Ｂが往復回転動作し、この可動軸６４４Ｂの回転動作に伴って後押さえ爪６４４が上方に向かって回転した後下方に向かって回転し、前記紙筒Ｔの表側折込フラップＴ２と接触する。
【００７５】
この後、底折ドラム６４０の回転によって紙筒Ｔが搬送され、図２１，図２２に示すように、糊付けロ−ラ６６２が回転することによって、図４３に（カ）で示す糊付け位置に、糊付けパッド６６５により表裏各折込フラップＴ１，Ｔ２の糊付けが行われる。
この糊付工程終了後、フラップ立ち上げ装置６７０の各押込ブレ−ド６７１の回転軸６７２が回転することによって、紙筒Ｔの表裏各折込フラップＴ１，Ｔ２の底折込線Ｌ５に沿って前記各押込ブレード６７１が喰い込み、図２９に示すように、裏側折込フラップＴ１の底折込線Ｌ５部分を開状態に保持した前挟持爪６４２，６４２Ａの間に誘い込み、その後、図３０に示すように、回転軸６７２により回転する押込ブレ−ド６７１によって、表側折込フラップＴ２の底折込線Ｌ５部分を後起こし爪６４５と後押さえ爪６４４との間で後起こし爪６４５側に誘い込む。
そして、捕捉爪６４１は、その回転ローラがカム面に形成する突状部分に沿って上方に移動し、それまで掴んでいた裏側折込フラップＴ１から離れるとともに、前挟持爪６４２の回転ローラがカム面の陥没部分に落ち込むことで、前挟持爪がバネの付勢力によって閉じ、これにより裏側折込フラップＴ１の底折込線Ｌ４の前後を噛み込むとともに、開閉爪６４３が折込部Ｔ３から離れて、一方、後起こし爪６４５の可動軸６４５Ｂに固着された押下げレバー６４５Ｃが第２の上下カム６４５Ｈに接触して可動軸６４５Ｂが往復回転動作し、この可動軸６４５Ｂの回転動作に伴って後起こし爪６４５が上方に向かって回転することで、これにより表側折込フラップＴ２における底折込線Ｌ５の前側を後押さえ爪６４４で押さえて、かつ底折込線Ｌ５の後側を後起こし爪６４５で立ち上げる。これにより表裏各折込フラップＴ１，Ｔ２を底折込線Ｌ５からそれぞれ内側に折り込む。
【００７６】
そして、表裏各折込フラップＴ１，Ｔ２が折り込まれた紙筒Ｔは、図３４に示すように、まずチェーン６８２の回転によって底折棒６８３を表側折込フラップＴ２に当接することにより、該表側折込フラップＴ２を内側に折り込み、次に、図３５に示すように、底折板６８４によって裏側折込フラップＴ１を内側に折り込み、図３６に示すように、底折ドラム６４０の搬送によって、裏側折込フラップＴ１を底折ドラム６４０と底折板６８４との間を通して、裏側折込フラップＴ１を表側折込フラップＴ２の上に折り重ねる。
この後、複数の案内ローラ６９１に架け渡した２本の無端状ベルト６９２，６９３どうしの間に紙筒Ｔを狭み付けることによって表裏各側折込フラップＴ１，Ｔ２を重ね合わせ、その紙筒Ｔを回転搬送ドラム６９０と無端状ベルト６９２，６９３によって次工程のプレス装置７の供給位置へと搬送し、カウント装置７において、袋底折込装置６８０によって表裏各折込フラップＴ１，Ｔ２が折込まれた紙筒Ｔをドラム７１により搬送し、この搬送途中において、プレスローラ７２により折り込まれた表裏各折込フラップＴ１，Ｔ２をプレスして紙袋Ｂの角底部Ｂ１を成形し、最終的にカウント部により成形した紙袋Ｂのカウントを行うとともに、製品台７３に紙袋Ｂを並べる。
【００７７】
なお、折畳部５９が、図４５に示すように、前記第２成形板の外側位置から下流側に向かって、上方位置に重なるように折り返し状態に配されて二つ折り部分Ｐ２および糊代部Ｐ３を折り返すために固定された折加工部Ｃ１とされる構成としてもよい。
【００７８】
【発明の効果】
本発明の製袋機および製袋方法によれば、以下の効果を奏する。
（１）後押さえ爪で表側折込フラップの底折込線前側を押さえた状態で後起こし爪により表側折込フラップの底折込線後側を立ち上げるため、筋のない紙袋を成形することができる。
（２）表側折込フラップを噛まずに下側から持ち上げて立ち上げるため、表側折り込みフラップにおける噛み込みによる傷の発生を防止することができる。
（３）プレスローラによるプレスの際に、プレスローラと底折ドラムとの間で紙袋の底部側線の形成位置に後押さえ爪が位置しないため、底部側線の設定における正確性を向上することができる。
（４）糊付けローラによる糊付けの際、糊付けを行う表裏折込フラップを捕捉爪のみならず後押さえ爪により挟持しているため、両側折込フラップに対する糊付けを正確に行うことができる。
（５）上記により、製品の正確性を向上することができるため、角底紙袋製造における歩留まりを向上することができ、コストの削減を図ることができる。
【図面の簡単な説明】
【図１】  本発明に係る製袋機および製袋方法の一実施形態を示す概略説明図である。
【図２】  図１の製袋機における取っ手装置を示す正面図である。
【図３】  図２の取っ手装置における貼付ドラムの口折り工程を示す正面図である。
【図４】  図２の取っ手装置における貼付ドラムおよび糊付け部を示す斜視図である。
【図５】  図２の取っ手装置における貼付ドラムおよびプレス手段を示す一部の記載を省略した斜視図である。
【図６】  図２の取っ手装置の貼付ドラムおよびプレス手段における同期設定手段を示す斜視図である。
【図７】  図１の製袋機における筋付装置を示す斜視図である。
【図８】  図１の製袋機における紙筒形成装置の第１折込工程部を示す正面図である。
【図９】  図８の第１折込工程部における姿勢設定搬送手段を示す一部断面視した側面図である。
【図１０】  図８の第１折込工程部における第１折加工部を示す斜視図である。
【図１１】  図１の製袋機における紙筒形成装置の第２折畳工程部を示す正面図である。
【図１２】  図１１の第２折畳工程部における折畳部を示す正面図（ｂ）と折り返しベルトを示す平面図（ａ）である。
【図１３】  図１１の第２折畳工程部における第２折加工部の折り返しベルトを示す斜視図である。
【図１４】  図１１の第２折畳工程部における折り返しベルトを駆動するＶベルトプーリの駆動状態の変化を示す斜視図である。
【図１５】  図８の第１折加工部における袋用紙の折り畳み工程を示す斜視図である。
【図１６】  図１の製袋機における袋底形成装置を示す正面図である。
【図１７】  図１６の袋底形成装置における底開き装置とフラップ折返装置とによる紙筒の袋口開き状態を示す斜視図である。
【図１８】  図１６の袋底形成装置におけるフラップ折返装置による紙筒の表裏両折返フラップの展開状態およびプレスローラによるプレス状態を示し、かつ後押さえ爪と後起こし爪の位置を示す斜視図である。
【図１９】  図１６の袋底形成装置におけるフラップ折返装置の取付棒および取付位置設定手段を示す一部断面視した側面図である。
【図２０】  図１９の取付位置設定手段および開放位置設定手段を示す斜視図である。
【図２１】  図１６の袋底形成装置における糊付け装置を示し、かつ後押さえ爪と後起こし爪の位置を示す斜視図である。
【図２２】  図１６の袋底形成装置における糊付け装置を示す正面図である。
【図２３】  図２２の糊付け装置における糊付けローラおよびパッド設定シートへの糊付けパッドの貼り付けを示す斜視図である。
【図２４】  図２２の糊付けローラにおける糊付けパッドの取付部を示す正断面図である。
【図２５】  図１６の袋底形成装置における底折ドラムと捕捉爪と前挟持爪と後押さえ爪と後起こし爪とを示す正面図である。
【図２６】  図１６の袋底形成装置における底折ドラムと捕捉爪と前挟持爪と後押さえ爪と後起こし爪とを示す展開平面図である。
【図２７】  図１６の袋底形成装置における後押さえ爪と後起こし爪とを示す一部を断面視した側面図である。
【図２８】  図１６の袋底形成装置における第１，第２の左右カムおよび上下カムを示す正面図である。
【図２９】  図１６の袋底形成装置におけるフラップ立ち上げ装置および底折ドラムと捕捉爪と前挟持爪と後押さえ爪と後起こし爪との裏側折込フラップの立ち上げ状態を示す正面図である。
【図３０】  図１６の袋底形成装置におけるフラップ立ち上げ装置および底折ドラムと捕捉爪と前挟持爪と後押さえ爪と後起こし爪との表側折込フラップの立ち上げ状態を示す正面図である。
【図３１】  図１６の袋底形成装置におけるフラップ立ち上げ装置および袋底折込装置を示す側面図である。
【図３２】  図１６の袋底折込装置における同期調節手段を示す拡大側面図である。
【図３３】  図３２の同期調節手段における楕円ギアおよび遊星ギア部を示す分解斜視図である。
【図３４】  図１６の袋底形成装置における袋底折込装置および底折ドラムと前挟持爪と後押さえ爪と後起こし爪との表側フラップの折り込み状態を示す正面図である。
【図３５】  図１６の袋底形成装置における袋底折込装置および底折ドラムと前挟持爪と後押さえ爪と後起こし爪との裏側折込フラップの折り込み状態を示す正面図である。
【図３６】  図１６の袋底形成装置における袋底折込装置および底折ドラムと前挟持爪と後押さえ爪と後起こし爪との表裏両折込フラップの折り込み状態を示す正面図である。
【図３７】  図１６の袋底形成装置における袋底折込装置における底折板および位置調節部を示す正面図である。
【図３８】  図１６の袋底形成装置における袋底折込装置における底折板および位置調節部を示す側面図である。
【図３９】  図１６の袋底形成装置における回転搬送ドラムにおける無端状ベルトおよび途中排袋手段を示す拡大正面図である。
【図４０】  本発明に係る製袋機および製袋方法の一実施形態における袋用紙への取っ手用の切れ込みおよび糊付け（ａ）と、取っ手の貼り付けおよび折り返し（ｂ）を示す斜視図である。
【図４１】  本発明に係る製袋機および製袋方法の他の実施形態における袋用紙への取っ手用の切込みおよび糊付け（ａ）と、取っ手の貼り付けおよび折り返し（ｂ）を示す斜視図である。
【図４２】  本発明に係る製袋機および製袋方法の他の実施形態における袋用紙への取っ手用の切れ込みおよび糊付け（ａ）と、取っ手の貼り付けおよび折り返し（ｂ）を示す斜視図である。
【図４３】  本発明に係る製袋機および製袋方法の一実施形態における袋用紙から紙筒の成形方法（ｃ）（ｄ）および紙筒からの紙袋の形成方法（ｅ）（ｆ）（ｇ）を示す斜視図である。
【図４４】  本発明に係る製袋機および製袋方法の一実施形態により製造される角底紙袋を示す斜視図である。
【図４５】  紙筒形成装置の他の実施形態を示す斜視図である。
【図４６】  糊付け装置の他の実施形態を示す斜視図である。
【図４７】  従来の紙袋の形成を示す斜視図である。
【符号の説明】
Ｍ…製袋機
Ｍ１…本体フレーム
Ｐ…袋用紙
Ｐ１…折込部
Ｐ２…二つ折り部分
Ｐ３…糊代部
Ｐ４…口折部
Ｔ…紙筒
Ｔ１…裏側折込フラップ
Ｔ２…表側折込フラップ
Ｔ３…折込部
Ｂ…紙袋
Ｂ１…角底部分
Ｂ３…底部側線
Ｈ…取っ手
Ｈ１…貼付部（貼り付け用紙）
Ｈ２…取っ手部分
Ｊ…切込み
Ｋ…カット部
Ｎ，Ｎ３，Ｎ４…袋用紙糊付位置
Ｌ…筋
Ｌ１…折込線
Ｌ２…折返線
Ｌ３…折畳線
Ｌ４…底折返線
Ｌ５…底折込線、
１…給紙装置
２…取っ手装置
２０Ａ，２０Ｂ…ピンチローラ
２０Ｃ…送り板
２１…貼付ドラム
２１ａ…駆動ギア
２１Ａ…回転軸
２１Ｂ…分割ドラム
２１Ｃ…捕捉爪
２１Ｃａ…軸
２１Ｄ…固定爪（挟持爪）
２１Ｅ…可動爪（挟持爪）
２１Ｆ…顎板
２１Ｆａ…回転軸
２１Ｆｂ…先端部
２１Ｇ…同期設定手段
２１Ｇａ…可動長穴
２１Ｇｂ…同期設定ギア
２２…カッタ部
２２Ａ…カッタ
２２Ｂ…上部回転軸
２２Ｃ…刃受け部
２２Ｄ…下部回転軸
２３…糊付け部
２４…取っ手供給部
２４Ａ…取っ手形成部
２４Ｂ…取っ手搬送部
２４Ｃ…巻回ローラ
２４Ｄ…無端状ベルト
２５…口折手段
２５Ａ…押し込みブレード
２６…プレス手段
２６Ａ…デリバリーローラ
２６Ａａ…駆動ギア
２６Ｂ…ローラ
２６Ｃ…上側回転軸
２６Ｄ…下側回転軸
２６Ｅ…プレスローラ
２６Ｆ…同期設定手段
２６Ｆａ…同期設定棹
２６Ｆｂ…長穴
２６Ｆｃ…同期設定ギア
２６Ｇ…同期設定手段
２６Ｇａ…同期設定ギア
２６ＧＡｂ…中継ギア
２６ａ…プレスパッド
２６ｂ…捕捉爪
２６ｃ…プレスパッド
２７…第１糊付け部
２７Ａ…タンク
２７Ｂ…糊付けパッド
２７Ｃ…糊付けローラ
２７Ｄ，２７Ｅ…中継ローラ
２８…第２糊付け部
２８Ａ…タンク
２８Ｂ…糊付けパッド
２８Ｃ…糊付け回転部
２８Ｄ，２８Ｅ…中継ローラ
２８Ｆ…回転軸
２９Ａ…アドバンスローラ
２９Ｂ…プレスローラ
３…筋付装置
３１…筋付凸ローラ
３１ａ…凸条
３２ａ…筋付溝
３２…筋付凹ローラ
４…紙筒形成装置
Ｆ…搬送面
４１Ａ，４１Ｂ…プレスローラ
４１ａ，４１ｂ…両端
４１…ローラコンベア
４２…第１折込工程部
４３…コンベアローラ
４３ｂ…フレーム
４４…第１折加工部
４４Ａ…第１成形板
４４Ｂ…跳ね上げ部
４４Ｃ…ひだ押し板
４４Ｄ…ひだ押さえ部
４４Ｄａ…縦板部
４４Ｄｂ…横板部
４５…姿勢設定搬送手段
４６…送りベルト
４６ａ…下送りベルト
４６ｂ…上送りベルト
４６ｃ…上面
４６ｄ…駆動手段
４６ｅ…下送りベルト張力調節手段
４７…下送りベルト支持手段
４７ａ，４７ｂ…巻回ローラ
４８…上送りベルト支持部
４８ａ，４８ｂ，４８ｃ…上送りベルトローラ
４８ｄ…押圧手段
４８ｅ…張力調節手段
４８ｆ…上下方向駆動手段
４８ｇ…軸
４８ｈ…圧着アーム
４８ｊ…付勢部材
４８ｋ…支持棒
４８ｍ…締結手段
４８ｎ…可動軸
４９…糊付け装置
５…紙筒形成装置
５１…ローラコンベア
５１Ａ，５１Ｂ…プレスローラ
５１ａ，５１ｂ…両端
５２…第２折畳工程部
５３…コンベアローラ
５４…第２折加工部
５４Ａ…第２成形板
５４Ｂ…ガイド部
５５…姿勢設定搬送手段
５６…送りベルト
５６ａ…下送りベルト
５６ｂ…上送りベルト
５７…下送りベルト支持手段
５７ａ，５７ｂ…巻回ローラ
５８…上送りベルト支持部
５８ａ，５８ｂ，５８ｃ…上送りベルトローラ
５８ｄ…押圧手段
５８ｅ…張力調節手段
５８ｆ…上下方向駆動手段
５８ｇ…軸
５８ｈ…圧着アーム
５８ｊ…付勢部材
５９…折畳部
５９Ａ…折返ベルト
５９Ｃ…支持部
５９ａ…上流巻回ローラ
５９ｂ…回転軸
５９ｃ…起きあがりローラ部
５９ｄ…下流巻回ローラ
５９ｅ…立ち上がり部
５９ｆ…駆動ローラ
５９ｇ…張力調節手段
５９ｈ…張力調節ローラ
５９ｊ，５９ｋ…引き回しローラ
５９ｎ…ベルト起こしローラ
５９ｐ…外側ローラ
５９ｑ…可変速Ｖプーリ
５９ｒ…同期設定プーリ
５９ｓ…Ｖベルト
６…袋底形成装置
６０Ａ…供給装置
６０１…送り板
６１０…口折筋付装置
６１１…筋付けブレ−ド
６１２…上部回転軸
６１３…受けローラ
６１４…下部回転軸
６１５，６１６…ピンチローラ
６２０…底折筋付け装置
６２１Ａ，６２１Ｂ…筋付ブレード
６２２…上部回転軸
６２３…受けローラ
６２４…下部回転軸
６２５…凹部
６３０…底開き装置
６３１…上部回転軸
６３２…回転円弧板
６３３…抑え板
６３４…開口部
６３５…吸着パット
６３６…下部回転軸
６３７…開閉爪
６４０…底折ドラム
６４０Ａ…回転軸
６４０Ｂ…分割ドラム
６４１…捕捉爪
６４１ａ…先端部分
６４２…固定爪（前挟持爪）
６４２Ａ…可動爪（前挟持爪）
６４３…開閉爪
６４４…後押さえ爪
６４４Ａ…取付ブラケット
６４４Ｂ…可動軸
６４４Ｃ…押上げレバー
６４４Ｄ…カム当接部
６４４Ｅ…カム当接部
６４４Ｆ…バネ
６４４Ｇ…第２の左右カム
６４４Ｈ…第２の上下カム
６４５…後起こし爪
６４５Ａ…取付ブラケット
６４５Ｂ…可動軸
６４５Ｃ…押下げレバー
６４５Ｄ…カム当接部
６４５Ｅ…カム当接部
６４５Ｆ…バネ
６４５Ｇ…第１の左右カム
６４５Ｈ…第１の上下カム
６４６…吸着口
６４７…支持用ブラケット
６４７ａ…凹部
６５０…フラップ祈返装置
６５１…案内板
６５１ａ…平板部
６５１ｂ…傾斜部
６５２…線状部材
６５２ａ…当接部
６５２ｂ…立上部
６５３…取付棒
６５４…取付アーム
６５５…取付位置設定手段
６５５Ａ…取付位置設定面
６５５Ｂ…取付移動部
６５５Ｃ…固定部
６５５Ｄ…支持部
６５６…回転軸
６５７…開放位置設定手段
６５７Ａ…設定面
６５７Ｂ…設定穴
６５７Ｃ…係合部材
６５７Ｄ…ハンドル
６５７Ｅ…接続部材
６５７Ｆ…付勢部材
６５８…付勢部材
６５９…プレスローラ
６６０…糊付装置
６６１…タンク
６６２…糊付けローラ
６６２ａ…溝部
６６３開口部
６６４…中継ローラ
６６５…糊付けパッド
６６６…パッド設定シート
６６６Ａ…方眼
６６６ａ，６６６ｂ…取付穴
６６７，６６８…取付部
６６７ａ…付勢部材
６６７ｂ…取付ピン
６６９…エアシリンダ
６７０…フラップ立ち上げ装置
６７１…押込ブレード
６７２…回転軸
６７２Ａ…駆動ギア
６８０…袋底折込装置
６８１…スプロケット
６８１Ａ…回転軸
６８２…チェ−ン
６８３…底折棒
６８４…底折板
６８４ａ…支持部
６８５…同期調節手段
６８５Ａ，６８５Ｂ…楕円ギア
６８６…遊星ギア部
６８６Ａ…太陽ギア
６８６Ｂ…遊星ギア
６８６Ｃ…遊星ギアケース
６８６Ｄ…内歯歯車
６８６Ｅ…駆動ギア
６８６Ｆ…ウォームホイール
６８６Ｇ…ウォームギア
６８７…位置調節部
６８７Ａ…長穴
６８７Ｂ…支持棒
６８７Ｃ…位置調節ネジ
６８７Ｄ…ウォームホイール
６８７Ｅ…ウォームギア
６８７Ｆ…接続棒
６８７Ｇ…固定手段
６９０…回転搬送ドラム
６９１…案内ロ−ラ
６９２，６９３…無端状ベルト
６９４…途中排袋手段
６９４Ａ…可動ローラ
６９４Ｂ…排出板
６９４Ｃ…駆動手段
６９４Ｄ…軸
６９４Ｅ…可動腕
７…カウント装置
７１…ドラム
７２…プレスローラ
７３…製品台
【図１】
0003861222.tif 000002
【図２】
0003861222.tif 000003
【図３】
0003861222.tif 000004
【図４】
0003861222.tif 000005
【図５】
0003861222.tif 000006
【図６】
0003861222.tif 000007
【図７】
0003861222.tif 000008
【図８】
0003861222.tif 000009
【図９】
0003861222.tif 000010
【図１０】
0003861222.tif 000011
【図１１】
0003861222.tif 000012
【図１２】
0003861222.tif 000013
【図１３】
0003861222.tif 000014
【図１４】
0003861222.tif 000015
【図１５】
0003861222.tif 000016
【図１６】
0003861222.tif 000017
【図１７】
0003861222.tif 000018
【図１８】
0003861222.tif 000019
【図１９】
0003861222.tif 000020
【図２０】
0003861222.tif 000021
【図２１】
0003861222.tif 000022
【図２２】
0003861222.tif 000023
【図２３】
0003861222.tif 000024
【図２４】
0003861222.tif 000025
【図２５】
0003861222.tif 000026
【図２６】
0003861222.tif 000027
【図２７】
0003861222.tif 000028
【図２８】
0003861222.tif 000029
【図２９】
0003861222.tif 000030
【図３０】
0003861222.tif 000031
【図３１】
0003861222.tif 000032
【図３２】
0003861222.tif 000033
【図３３】
0003861222.tif 000034
【図３４】
0003861222.tif 000035
【図３５】
0003861222.tif 000036
【図３６】
0003861222.tif 000037
【図３７】
0003861222.tif 000038
【図３８】
0003861222.tif 000039
【図３９】
0003861222.tif 000040
【図４０】
0003861222.tif 000041
【図４１】
0003861222.tif 000042
【図４２】
0003861222.tif 000043
【図４３】
0003861222.tif 000044
【図４４】
0003861222.tif 000045
【図４５】
0003861222.tif 000046
【図４６】
0003861222.tif 000047
【図４７】
0003861222.tif 000048